(57)【特許請求の範囲】
【請求項１】
ユーザ機器（ＵＥ）によって実行される基地局とのワイヤレス通信の方法であって、
前記基地局から、第１のサブフレーム中で、サブフレームのセットについてのマルチサブフレームスケジューリング情報を受信することと、ここにおいて、前記マルチサブフレームスケジューリング情報は、サブフレームの前記セットの各サブフレームに対応する、前記ＵＥに割り振られたリソースのためのスケジューリングを示し、
前記マルチサブフレームスケジューリング情報に基づいてサブフレームの前記セットのうちの１つまたは複数のサブフレームについての特性の差異を決定することと、
前記基地局によって与えられる、前記決定された特性の差異に基づいて調整をどのように行うかに関する特定のルールに従って、前記１つまたは複数のサブフレーム中の通信についての１つまたは複数の性質を調整することと
を備える、方法。
【請求項２】
特性の前記差異を決定することは、サブフレームの前記セットのうちのサブフレームが、
前記第１のサブフレームとは異なる利用可能なリソースブロック（ＲＢ）、
１次同期信号、２次同期信号、１次ブロードキャストチャネル、共通基準信号、測位基準信号、またはチャネル状態情報基準信号のうちの１つとの衝突条件、
前記第１のサブフレームのサブフレームタイプとは異なるサブフレームタイプ、前記サブフレームタイプが、マルチキャストブロードキャスト単一周波数ネットワーク（ＭＢＳＦＮ）ダウンリンクサブフレーム、非ＭＢＳＦＮサブフレーム、特殊サブフレーム、またはオールモストブランクサブフレームのうちの１つを備える、
物理ダウンリンク共有チャネル（ＰＤＳＣＨ）または物理アップリンク共有チャネル（ＰＵＳＣＨ）送信を可能にしないタイプ指示、あるいは
半永続的スケジューリング（ＳＰＳ）割当て
のうちの１つまたは複数を有すると決定することを備える、請求項１に記載の方法。
【請求項３】
前記１つまたは複数のサブフレーム中の通信についての１つまたは複数の性質を調整することは、
前記第１のサブフレームのトランスポートブロックサイズ（ＴＢＳ）に対する前記１つまたは複数のサブフレームのトランスポートブロックサイズ、
前記第１のサブフレームの変調およびコーディング方式（ＭＣＳ）に対する前記１つまたは複数のサブフレームのＭＣＳ、
前記第１のサブフレームのランクに対する前記１つまたは複数のサブフレームのランク、
パンクチャド復調基準信号（ＤＭ−ＲＳ）パターンに基づく送信リソース、あるいは
前記１つまたは複数のサブフレームのリソースのスケジューリングをスキップするようなリソースのスケジューリング
のうちの１つまたは複数を調整することを備える、請求項１に記載の方法。
【請求項４】
前記決定することは、第２のサブフレームが、前記第１のサブフレームとは送信のための異なる数の利用可能なリソース要素（ＲＥ）を有すると決定することを備え、
前記調整することは、前記第２のサブフレームの利用可能なＲＥの前記数に少なくとも部分的に基づいて前記第２のサブフレームのトランスポートブロックサイズ（ＴＢＳ）を調整することを備える、請求項１に記載の方法。
【請求項５】
前記決定することは、第２のサブフレームのための利用可能なリソースブロック（ＲＢ）の数が、前記第１のサブフレームのための利用可能なＲＢの数とは異なると決定することを備え、
前記調整することは、前記第２のサブフレームに関連するリソース割振りを調整することを備える、請求項１に記載の方法。
【請求項６】
前記決定することは、第２のサブフレームが、半永続的にスケジュールされた送信を有すると決定することを備え、
前記調整することは、前記第２のサブフレームについての前記マルチサブフレームスケジューリング情報に関連するリソースのスケジューリングをスキップすることを備える、請求項１に記載の方法。
【請求項７】
基地局とのワイヤレス通信のためのユーザ機器装置であって、
前記基地局から、第１のサブフレーム中で、サブフレームのセットについてのマルチサブフレームスケジューリング情報を受信するための手段と、ここにおいて、前記マルチサブフレームスケジューリング情報は、サブフレームの前記セットの各サブフレームに対応する、前記ＵＥに割り振られたリソースのためのスケジューリングを示し、
前記マルチサブフレームスケジューリング情報に基づいてサブフレームの前記セットのうちの１つまたは複数についての特性の差異を決定するための手段と、
前記基地局によって与えられる、前記決定された特性の差異に基づいて調整をどのように行うかに関する特定のルールに従って、前記１つまたは複数のサブフレーム中の通信についての１つまたは複数の性質を調整するための手段と
を備える、装置。
【請求項８】
特性の前記差異を決定するための前記手段は、サブフレームの前記セットのうちの少なくとも１つのサブフレームが、
前記第１のサブフレームとは異なる利用可能なリソースブロック（ＲＢ）、
１次同期信号、２次同期信号、１次ブロードキャストチャネル、共通基準信号、測位基準信号、またはチャネル状態情報基準信号のうちの少なくとも１つとの衝突条件、
前記第１のサブフレームのサブフレームタイプとは異なるサブフレームタイプ、サブフレームの前記タイプが、マルチキャストブロードキャスト単一周波数ネットワーク（ＭＢＮＳＦ）ダウンリンクサブフレーム、非ＭＢＳＦＮサブフレーム、特殊サブフレーム、またはオールモストブランクサブフレームのうちの少なくとも１つを備える、
物理ダウンリンク共有チャネル（ＰＤＳＣＨ）または物理アップリンク共有チャネル（ＰＵＳＣＨ）送信を可能にしないタイプ指示、あるいは
半永続的スケジューリング（ＳＰＳ）割当て
のうちの１つまたは複数を有すると決定するための手段を備える、請求項７に記載の装置。
【請求項９】
前記１つまたは複数のサブフレーム中の通信についての１つまたは複数の性質を調整するための前記手段は、
前記第１のサブフレームのトランスポートサイズに対する前記１つまたは複数のサブフレームのトランスポートブロックサイズ（ＴＢＳ）、
前記第１のサブフレームの変調およびコーディング方式（ＭＣＳ）に対する前記１つまたは複数のサブフレームのＭＣＳ、
前記第１のサブフレームのランクに対する前記１つまたは複数のサブフレームのランク、
パンクチャド復調基準信号（ＤＭ−ＲＳ）パターンに基づく送信リソース、あるいは
前記１つまたは複数のサブフレームのリソースのスケジューリングをスキップするようなリソースのスケジューリング
のうちの１つまたは複数を調整するための手段を備える、請求項７に記載の装置。
【請求項１０】
決定するための前記手段は、第２のサブフレームが、前記第１のサブフレームとは送信のための異なる数の利用可能なリソース要素（ＲＥ）を有すると決定するための手段を備え、
調整するための前記手段は、前記第２のサブフレームの利用可能なＲＥの前記数に少なくとも部分的に基づいて前記第２のサブフレームのトランスポートブロックサイズ（ＴＢＳ）を調整するための手段を備える、請求項７に記載の装置。
【請求項１１】
決定するための前記手段は、第２のサブフレームのための利用可能なリソースブロック（ＲＢ）の数が前記第１のサブフレームのための利用可能なＲＢの前記数とは異なると決定するための手段を備え、
調整するための前記手段は、前記第２のサブフレームに関連するリソース割振りを調整するための手段を備える、請求項７に記載の装置。
【請求項１２】
決定するための前記手段は、第２のサブフレームが、半永続的にスケジュールされた送信を有すると決定するための手段を備え、
調整するための前記手段は、前記第２のサブフレームについての前記マルチサブフレームスケジューリング情報に関連するリソースのスケジューリングをスキップするための手段を備える、請求項７に記載の装置。
【請求項１３】
ユーザ機器（ＵＥ）と通信している基地局によって実行されるワイヤレス通信の方法であって、
マルチサブフレームスケジューリング割当てに関連するサブフレームのセットのうちの１つまたは複数のサブフレームについての特性の差異を決定することと、
前記差異に基づいてサブフレームの前記セットについてのマルチサブフレームスケジューリング情報を調整することと、ここにおいて、前記マルチサブフレームスケジューリング情報は、サブフレームの前記セットの各サブフレームに対応する、前記ＵＥに割り振られたリソースのためのスケジューリングを示し、
前記マルチサブフレームスケジューリング情報を前記ＵＥに送信することと、
前記差異に基づく、前記１つまたは複数のサブフレームのリソース割振りの調整のための特定のルールを前記ＵＥに与えることと
を備える、方法。
【請求項１４】
ユーザ機器（ＵＥ）とのワイヤレス通信のための基地局装置であって、
マルチサブフレームスケジューリング割当てに関連するサブフレームのセットのうちの１つまたは複数のサブフレームについての特性の差異を決定するための手段と、
前記差異に基づいてサブフレームの前記セットについてのマルチサブフレームスケジューリング情報を調整するための手段と、ここにおいて、前記マルチサブフレームスケジューリング情報は、サブフレームの前記セットの各サブフレームに対応する、前記ＵＥに割り振られたリソースのためのスケジューリングを示し、
前記マルチサブフレームスケジューリング情報を前記ＵＥに送信するための手段と、
前記差異に基づく、前記１つまたは複数のサブフレームのリソース割振りの調整のための特定のルールを前記ＵＥに与えるための手段と
を備える、基地局装置。
【請求項１５】
コンピュータ上で実行されるとき、請求項１〜６および１３のいずれか一項にしたがった方法を実施するための命令を備える、コンピュータプログラム。
【発明の詳細な説明】
【技術分野】
【０００１】
相互参照
[0001]本特許出願は、それぞれ本出願の譲受人に譲渡された、２０１４年１月２４日に出願された、「ＭＥＴＨＯＤＳ  ＡＮＤ  ＡＰＰＡＲＡＴＵＳ  ＦＯＲ  ＭＵＬＴＩ−ＳＵＢＦＲＡＭ（登録商標）Ｅ  ＳＣＨＥＤＵＬＩＮＧ」と題する、チェンらによる米国特許出願第１４／１６３，８７４号の優先権を主張し、２０１３年３月６日に出願された、「ＭＥＴＨＯＤＳ  ＡＮＤ  ＡＰＰＡＲＡＴＵＳ  ＦＯＲ  ＭＵＬＴＩ−ＳＵＢＦＲＡＭＥ  ＳＣＨＥＤＵＬＩＮＧ」と題する、チェンらによる米国仮特許出願第６１／７７３，６２６号の優先権を主張する。
【０００２】
[0002]以下は、一般にワイヤレス通信に関し、より詳細には、ワイヤレス通信システムにおけるマルチサブフレームスケジューリングに関する。ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【背景技術】
【０００３】
[0003]概して、ワイヤレス多元接続通信システムは、各々が複数のモバイルデバイスのための通信を同時にサポートする、いくつかのｅＮＢを含み得る。ｅＮＢは、ダウンストリームリンクおよびアップストリームリンク上でモバイルデバイスと通信し得る。各ｅＮＢは、セルのカバレージエリアと呼ばれることがあるカバレージ範囲を有する。モバイルデバイスとｅＮＢとの間の送信は、概して、ｅＮＢとモバイルデバイスとの間のスケジュールされた送信に従って実行される。ｅＮＢは、モバイルデバイスからｅＮＢへのスケジュールされたアップリンク送信、またはｅＮＢからモバイルデバイスへのスケジュールされたダウンリンク送信に関係する情報を示したスケジューリング情報をモバイルデバイスに送信し得る。モバイルデバイスは、次いで、このスケジュールされた送信に従って動作してｅＮＢへ／からの通信を送信／受信し得る。
【発明の概要】
【０００４】
[0004]説明される特徴は、概して、単一のスケジューリング動作における複数のサブフレームのためのスケジューリング送信のための１つまたは複数の改善されたシステム、方法、および／または装置に関する。サブフレームのセットのためのマルチサブフレームスケジューリング情報送信においてスケジューリング情報が提供される。マルチサブフレーム情報の下でのサブフレームについての特性の差異が決定され、サブフレーム特性に基づいて１つまたは複数のサブフレーム中の通信についての１つまたは複数の性質が調整され得る。そのようなマルチサブフレームスケジューリングは、アップリンクまたはダウンリンク送信をスケジュールすることについて低減されたオーバーヘッドを可能にし得る。
【０００５】
[0005]いくつかの態様によれば、ユーザ機器（ＵＥ：user equipment）によって実行されるワイヤレス通信の方法が提供される。本方法は、概して、第１のサブフレーム中で、サブフレームのセットについてのマルチサブフレームスケジューリング情報を受信することと、マルチサブフレームスケジューリング情報に基づいてサブフレームのセットのうちの１つまたは複数のサブフレームについての特性の差異を決定することと、この決定に応答して、１つまたは複数のサブフレーム中の通信についての１つまたは複数の性質を調整することとを含む。
【０００６】
[0006]１つまたは複数のサブフレームの特性の差異は、たとえば、第１のサブフレームとは異なる利用可能なリソースブロック（ＲＢ：resource block）、１次同期信号、２次同期信号、１次ブロードキャストチャネル、共通基準信号、測位基準信号、またはチャネル状態情報基準信号のうちの少なくとも１つとの衝突条件、第１のサブフレームのサブフレームタイプとは異なるサブフレームタイプ、サブフレームの上記タイプが、マルチキャストブロードキャスト単一周波数ネットワーク（ＭＢＳＦＮ：multicast broadcast single frequency network）ダウンリンクサブフレーム、非ＭＢＳＦＮサブフレーム、特殊サブフレーム、またはオールモストブランクサブフレーム（almost blank subframe）のうちの少なくとも１つを備える、物理ダウンリンク共有チャネル（ＰＤＳＣＨ）または物理アップリンク共有チャネル（ＰＵＳＣＨ）送信を可能にしないタイプ指示、あるいは半永続的スケジューリング（ＳＰＳ：semi-persistent scheduling）割当てのうちの１つまたは複数を含み得る。上記１つまたは複数中の通信についての１つまたは複数の性質を調整することは、たとえば、第１のサブフレームのトランスポートブロックサイズ（ＴＢＳ：transport block size）に対する１つまたは複数のサブフレームのトランスポートブロックサイズ、第１のサブフレームの変調およびコーディング方式（ＭＣＳ：modulation and coding scheme）に対する１つまたは複数のサブフレームのＭＣＳ、第１のサブフレームのランクに対する１つまたは複数のサブフレームのランク、パンクチャド復調基準信号（ＤＭ−ＲＳ：punctured demodulation reference signal）パターンに基づく送信リソース、あるいは１つまたは複数のサブフレームのリソースのスケジューリングをスキップするようなリソースのスケジューリングのうちの１つまたは複数を調整することを含み得る。
【０００７】
[0007]いくつかの例によれば、サブフレームのセットのうちの１つまたは複数のサブフレームについての特性の差異を決定することは、第２のサブフレームが、第１のサブフレームとは送信のための異なる数の利用可能なリソース要素（ＲＥ：resource element）を有すると決定することを含み得、そのような例における調整することは、第２のサブフレームの利用可能なＲＥの数に少なくとも部分的に基づいて第２のサブフレームのトランスポートブロックサイズ（ＴＢＳ）を調整することを含み得る。いくつかの例では、ＴＢＳを調整することは、変調およびコーディング方式（ＭＣＳ）、ならびに第２のサブフレームの利用可能なＲＥの数と第１のサブフレームの利用可能なＲＥの数との比に少なくとも部分的に基づいて第２のサブフレームのＴＢＳをスケーリングすることを備える。追加または代替として、ＴＢＳを調整することは、第１のサブフレームのＴＢＳ、および第２のサブフレームの利用可能なＲＥの数と第１のサブフレームの利用可能なＲＥの数との比に少なくとも部分的に基づいて第２のサブフレームのＴＢＳをスケーリングすることを含み得る。
【０００８】
[0008]いくつかのさらなる例によれば、サブフレームのセットのうちの１つまたは複数のサブフレームについての特性の差異を決定することは、第２のサブフレームのための利用可能なリソースブロック（ＲＢ）の数が第１のサブフレームのための利用可能なＲＢの数とは異なると決定することを含み得、そのような例では、調整することは、第２のサブフレームに関連するリソース割振りを調整することを含み得る。いくつかの例では、そのような決定することは、第２のサブフレーム中で１次同期信号（ＰＳＳ：primary synchronization signal）または２次同期信号（ＳＳＳ：secondary synchronization signal）が送信されるべきであると決定することと、ＰＳＳまたはＳＳＳのために使用されるべき第２のサブフレーム中のＲＢの第１のセットと第２のサブフレーム中のＲＢの第２のセットとを決定することとを含み得、ＲＢの第２のセットは、第１のセット中に含まれるＲＢ以外のＲＢを含む。そのような例では、調整することは、第２のサブフレーム中での送信のためにＲＢの第２のセットをスケジュールすることを含み得る。またさらなる例によれば、決定することは、第２のサブフレームが、半永続的にスケジュールされた送信を有すると決定することを含み得、そのような例における調整することは、第２のサブフレームについてのマルチサブフレームスケジューリング情報に関連するリソースのスケジューリングをスキップすることを含み得る。他の例では、決定することは、第２のサブフレームが、半永続的にスケジュールされた送信を有すると決定することを含み得、そのような例では、調整することは、第２のサブフレームのための半永続的にスケジュールされた送信をスキップすることと、第２のサブフレームについてのマルチサブフレームスケジューリング情報に関連するリソースをスケジュールすることとを含み得る。
【０００９】
[0009]本方法はまた、いくつかの例では、調整することに応答して、サブフレームのセットのうちの各サブフレームについてサブフレームコーディングを処理することを含み得る。本方法はまた、いくつかの例では、マルチサブフレームスケジューリング情報を受信した後に異なるスケジューリング情報を受信することと、この異なるスケジューリング情報が、サブフレームのセットのうちの少なくとも１つについてのものである、マルチサブフレームスケジューリング情報をこの異なるスケジューリング情報と交換することとを含み得る。さらなる例によれば、本方法はまた、マルチサブフレームスケジューリング情報の受信の後に受信されたサブフレームのセットについてのスケジューリング情報を無視することを含み得る。通信は、サブフレーム中でｅＮＢから少なくとも１つのダウンリンク送信を受信すること、および／またはサブフレーム中でｅＮＢに少なくとも１つのチャネルを送信することを含み得る。
【００１０】
[0010]他の態様によれば、ワイヤレス通信のためのユーザ機器装置が提供される。本装置は、概して、第１のサブフレーム中で、サブフレームのセットについてのマルチサブフレームスケジューリング情報を受信するための手段と、マルチサブフレームスケジューリング情報に基づいてサブフレームのセットのうちの１つまたは複数のサブフレームについての特性の差異を決定するための手段と、この決定に応答して、１つまたは複数のサブフレーム中の通信についての１つまたは複数の性質を調整するための手段とを含む。
【００１１】
[0011]いくつかの例によれば、特性の差異を決定するための手段は、サブフレームのセットのうちの少なくとも１つのサブフレームが、第１のサブフレームとは異なる利用可能なリソースブロック（ＲＢ）、１次同期信号、２次同期信号、１次ブロードキャストチャネル、共通基準信号、測位基準信号、またはチャネル状態情報基準信号のうちの少なくとも１つとの衝突条件、第１のサブフレームのサブフレームタイプとは異なるサブフレームタイプ、サブフレームの上記タイプが、マルチキャストブロードキャスト単一周波数ネットワーク（ＭＢＳＦＮ）ダウンリンクサブフレーム、非ＭＢＳＦＮサブフレーム、特殊サブフレーム、またはオールモストブランクサブフレームのうちの少なくとも１つを備える、物理ダウンリンク共有チャネル（ＰＤＳＣＨ）または物理アップリンク共有チャネル（ＰＵＳＣＨ）送信を可能にしないタイプ指示、あるいは半永続的スケジューリング（ＳＰＳ）割当てのうちの１つまたは複数を有すると決定するための手段を含み得る。１つまたは複数のサブフレーム中の通信についての１つまたは複数の性質を調整するための手段は、たとえば、第１のサブフレームのトランスポートブロックサイズ（ＴＢＳ）に対する１つまたは複数のサブフレームのトランスポートブロックサイズ、第１のサブフレームの変調およびコーディング方式（ＭＣＳ）に対する１つまたは複数のサブフレームのＭＣＳ、第１のサブフレームのランクに対する１つまたは複数のサブフレームのランク、パンクチャド復調基準信号（ＤＭ−ＲＳ）パターンに基づく送信リソース、あるいは１つまたは複数のサブフレームのリソースのスケジューリングをスキップするようなリソースのスケジューリングのうちの１つまたは複数を調整するための手段を含み得る。
【００１２】
[0012]いくつかの例では、決定するための手段は、第２のサブフレームが、第１のサブフレームとは送信のための異なる数の利用可能なリソース要素（ＲＥ）を有すると決定するための手段を含み得、そのような例における調整するための手段は、第２のサブフレームの利用可能なＲＥの数に少なくとも部分的に基づいて第２のサブフレームのトランスポートブロックサイズ（ＴＢＳ）を調整するための手段を含み得る。ＴＢＳを調整するための手段は、たとえば、変調およびコーディング方式（ＭＣＳ）、および第２のサブフレームの利用可能なＲＥの数と第１のサブフレームの利用可能なＲＥの数との比に少なくとも部分的に基づいて第２のサブフレームのＴＢＳをスケーリングするための手段、ならびに／あるいは、第１のサブフレームのＴＢＳ、および第２のサブフレームの利用可能なＲＥの数と第１のサブフレームの利用可能なＲＥの数との比に少なくとも部分的に基づいて第２のサブフレームのＴＢＳをスケーリングするための手段を含み得る。
【００１３】
[0013]いくつかの例では、決定するための手段は、第２のサブフレームのための利用可能なリソースブロック（ＲＢ）の数が第１のサブフレームのための利用可能なＲＢの数とは異なると決定するための手段を含み得、そのような例における調整するための手段は、第２のサブフレームに関連するリソース割振りを調整するための手段を含み得る。さらなる例では、決定するための手段は、第２のサブフレーム中で１次同期信号（ＰＳＳ）または２次同期信号（ＳＳＳ）が送信されるべきであると決定するための手段と、ＰＳＳまたはＳＳＳのために使用されるべき第２のサブフレーム中のＲＢの第１のセットと第２のサブフレーム中のＲＢの第２のセットとを決定するための手段とを含み得、ＲＢの第２のセットは、第１のセット中に含まれるＲＢ以外のＲＢを含む。そのような例における調整するための手段は、第２のサブフレーム中での送信のためにＲＢの第２のセットをスケジュールするための手段を含み得る。
【００１４】
[0014]さらなる例では、決定するための手段は、第２のサブフレームが、半永続的にスケジュールされた送信を有すると決定するための手段を含み得、そのような例における調整するための手段は、第２のサブフレームについてのマルチサブフレームスケジューリング情報に関連するリソースのスケジューリングをスキップするための手段を含み得る。他の例では、決定するための手段は、第２のサブフレームが、半永続的にスケジュールされた送信を有すると決定するための手段を含み得、そのような例における調整するための手段は、第２のサブフレームのための半永続的にスケジュールされた送信をスキップし、第２のサブフレームについてのマルチサブフレームスケジューリング情報に関連するリソースをスケジュールするための手段を含み得る。
【００１５】
[0015]またさらなる例では、本装置は、調整することに応答して、サブフレームのセットのうちの各サブフレームについてサブフレームコーディングを処理するための手段をさらに含み得る。本装置はまた、いくつかの例では、マルチサブフレームスケジューリング情報を受信した後に異なるスケジューリング情報を受信するための手段と、この異なるスケジューリング情報が、サブフレームのセットのうちの少なくとも１つについてのものである、マルチサブフレームスケジューリング情報をこの異なるスケジューリング情報と交換するための手段とを含み得る。追加または代替として、本装置は、マルチサブフレームスケジューリング情報の受信の後に受信されたサブフレームのセットについてのスケジューリング情報を無視するための手段を含み得る。いくつかの例では、通信は、サブフレーム中でｅＮＢから少なくとも１つのダウンリンク送信を受信すること、および／またはサブフレーム中でｅＮＢに少なくとも１つのチャネルを送信することを含み得る。
【００１６】
[0016]他の態様によれば、ワイヤレス通信ユーザ機器装置が提供される。本装置は、概して、少なくとも１つのプロセッサと、プロセッサに結合されたメモリとを含む。プロセッサは、第１のサブフレーム中で、サブフレームのセットについてのマルチサブフレームスケジューリング情報を受信することと、マルチサブフレームスケジューリング情報に基づいてサブフレームのセットのうちの１つまたは複数のサブフレームについての特性の差異を決定することと、この決定に応答して、１つまたは複数のサブフレーム中の通信についての１つまたは複数の性質を調整することとを行うように構成され得る。いくつかの例によれば、プロセッサはさらに、サブフレームのセットのうちの少なくとも１つのサブフレームが、第１のサブフレームとは異なる利用可能なリソースブロック（ＲＢ）、１次同期信号、２次同期信号、１次ブロードキャストチャネル、共通基準信号、測位基準信号、またはチャネル状態情報基準信号のうちの少なくとも１つとの衝突条件、第１のサブフレームのサブフレームタイプとは異なるサブフレームタイプ、サブフレームの上記タイプが、マルチキャストブロードキャスト単一周波数ネットワーク（ＭＢＳＦＮ）ダウンリンクサブフレーム、非ＭＢＳＦＮサブフレーム、特殊サブフレーム、またはオールモストブランクサブフレームのうちの少なくとも１つを備える、物理ダウンリンク共有チャネル（ＰＤＳＣＨ）または物理アップリンク共有チャネル（ＰＵＳＣＨ）送信を可能にしないタイプ指示、あるいは半永続的スケジューリング（ＳＰＳ）割当てのうちの１つまたは複数を有すると決定するように構成され得る。いくつかの他の例によれば、プロセッサはさらに、第１のサブフレームのトランスポートブロックサイズ（ＴＢＳ）に対する１つまたは複数のサブフレームのトランスポートブロックサイズ、第１のサブフレームの変調およびコーディング方式（ＭＣＳ）に対する１つまたは複数のサブフレームのＭＣＳ、第１のサブフレームのランクに対する１つまたは複数のサブフレームのランク、パンクチャド復調基準信号（ＤＭ−ＲＳ）パターンに基づく送信リソース、あるいは１つまたは複数のサブフレームのリソースのスケジューリングをスキップするようなリソースのスケジューリングのうちの１つまたは複数を調整するように構成され得る。
【００１７】
[0017]さらなる態様によれば、ユーザ機器によるワイヤレス通信のためのコンピュータプログラム製品が提供される。コンピュータプログラム製品は、第１のサブフレーム中で、サブフレームのセットについてのマルチサブフレームスケジューリング情報を受信するためのコードと、マルチサブフレームスケジューリング情報に基づいてサブフレームのセットのうちの１つまたは複数のサブフレームについての特性の差異を決定するためのコードと、この決定に応答して、１つまたは複数のサブフレーム中の通信についての１つまたは複数の性質を調整するためのコードとを備える非一時的コンピュータ可読媒体を含み得る。いくつかの例では、特性の差異を決定するためのコードは、サブフレームのセットのうちの少なくとも１つのサブフレームが、第１のサブフレームとは異なる利用可能なリソースブロック（ＲＢ）、１次同期信号、２次同期信号、１次ブロードキャストチャネル、共通基準信号、測位基準信号、またはチャネル状態情報基準信号のうちの少なくとも１つとの衝突条件、第１のサブフレームのサブフレームタイプとは異なるサブフレームタイプ、サブフレームの上記タイプが、マルチキャストブロードキャスト単一周波数ネットワーク（ＭＢＳＦＮ）ダウンリンクサブフレーム、非ＭＢＳＦＮサブフレーム、特殊サブフレーム、またはオールモストブランクサブフレームのうちの少なくとも１つを備える、物理ダウンリンク共有チャネル（ＰＤＳＣＨ）または物理アップリンク共有チャネル（ＰＵＳＣＨ）送信を可能にしないタイプ指示、あるいは半永続的スケジューリング（ＳＰＳ）割当てのうちの１つまたは複数を有すると決定するためのコードを含み得る。他の例によれば、１つまたは複数のサブフレーム中の通信についての１つまたは複数の性質を調整するためのコードは、第１のサブフレームのトランスポートブロックサイズ（ＴＢＳ）に対する１つまたは複数のサブフレームのトランスポートブロックサイズ、第１のサブフレームの変調およびコーディング方式（ＭＣＳ）に対する１つまたは複数のサブフレームのＭＣＳ、第１のサブフレームのランクに対する１つまたは複数のサブフレームのランク、パンクチャド復調基準信号（ＤＭ−ＲＳ）パターンに基づく送信リソース、あるいは１つまたは複数のサブフレームのリソースのスケジューリングをスキップするようなリソースのスケジューリングのうちの１つまたは複数を調整するためのコードを備える。
【００１８】
[0018]またさらなる態様では、ユーザ機器（ＵＥ）と通信しているノードによって実行されるワイヤレス通信の方法が提供される。ノードは、ｅＮＢ、異なるＵＥ、または別の種類のワイヤレスノードであり得る。本方法は、概して、マルチサブフレームスケジューリング割当てに関連するサブフレームのセットのうちの１つまたは複数のサブフレームについての特性の差異を決定することと、この差異に基づいてサブフレームのセットについてのマルチサブフレームスケジューリング情報を調整することと、マルチサブフレームスケジューリング情報をユーザ機器（ＵＥ）に送信することとを含む。いくつかの例によれば、特性の差異を決定することは、サブフレームのセットのうちの少なくとも１つのサブフレームが、第１のサブフレームとは異なる利用可能なリソースブロック（ＲＢ）、１次同期信号、２次同期信号、１次ブロードキャストチャネル、共通基準信号、測位基準信号、またはチャネル状態情報基準信号のうちの少なくとも１つとの衝突条件、第１のサブフレームのサブフレームタイプとは異なるサブフレームタイプ、上記サブフレームタイプが、マルチキャストブロードキャスト単一周波数ネットワーク（ＭＢＳＦＮ）ダウンリンクサブフレーム、非ＭＢＳＦＮサブフレーム、特殊サブフレーム、またはオールモストブランクサブフレームのうちの少なくとも１つを備える、物理ダウンリンク共有チャネル（ＰＤＳＣＨ）または物理アップリンク共有チャネル（ＰＵＳＣＨ）送信を可能にしないタイプ指示、あるいは半永続的スケジューリング（ＳＰＳ）割当てのうちの１つまたは複数を有すると決定することを含み得る。いくつかの例では、サブフレームのセットのうちの１つまたは複数のサブフレームについてのスケジューリング情報を調整することは、第１のサブフレームのトランスポートブロックサイズ（ＴＢＳ）に対する１つまたは複数のサブフレームのトランスポートブロックサイズ、第１のサブフレームの変調およびコーディング方式（ＭＣＳ）に対する１つまたは複数のサブフレームのＭＣＳ、第１のサブフレームのランクに対する１つまたは複数のサブフレームのランク、パンクチャド復調基準信号（ＤＭ−ＲＳ）パターンに基づく送信リソース、あるいは１つまたは複数のサブフレームのためのリソースのスケジューリングをスキップするようなリソースのスケジューリングのうちの１つまたは複数を調整することを含み得る。
【００１９】
[0019]いくつかの例によれば、決定することは、サブフレームのセットのうちの他のサブフレームとは異なる数の利用可能なリソース要素を有するサブフレームのセットのうちの１つを識別することを含み得、そのような例における調整することは、識別されたサブフレームの利用可能なリソース要素の数に少なくとも部分的に基づいて、識別されたサブフレームのトランスポートブロックサイズ（ＴＢＳ）を調整することを含み得る。他の例では、決定することは、サブフレームのセットのうちの１つのための利用可能なリソースブロック（ＲＢ）の数が、サブフレームのセットのうちの１つまたは複数の他のサブフレームのための利用可能なＲＢの数とは異なることを識別することを含み得、そのような例における調整することは、識別されたサブフレームに関連するリソース割振りを調整することを含み得る。他の例では、決定することは、半永続的にスケジュールされた送信を有するサブフレームのセットのうちの１つまたは複数のサブフレームを識別することを備え、そのような例における調整することは、１つまたは複数の識別されたサブフレームについてのマルチサブフレームスケジューリング情報に関連するリソースのスケジューリングをスキップすることを含み得る。さらに他の例では、決定することは、半永続的にスケジュールされた送信を有するサブフレームのセットのうちの１つまたは複数のサブフレームを識別することを含み得、そのような例における調整することは、半永続的にスケジュールされた送信をスキップすることと、１つまたは複数の識別されたサブフレームについてのマルチサブフレームスケジューリング情報に関連するリソースをスケジュールすることとを含み得る。
【００２０】
[0020]説明される方法および装置の適用性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【００２１】
[0021]以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００２２】
【図１】[0022]ワイヤレス通信システムのブロック図。
【図２】[0023]様々な例による、複数のサブフレームの例示的なスケジューリングの図。
【図３】[0024]様々な例による、複数のサブフレームの例示的なスケジューリングの別の図。
【図４】[0025]様々な例による、複数のサブフレームの例示的なスケジューリングの別の図。
【図５】[0026]様々な例による、複数のサブフレームの例示的なスケジューリングの別の図。
【図６】[0027]様々な例による、複数のサブフレームの例示的なスケジューリングの別の図。
【図７】[0028]様々な例による、複数のサブフレームの例示的なスケジューリングの別の図。
【図８】[0029]様々な例による、ワイヤレス通信システムの一例と、ｅＮＢの一例のブロック図とを示す図。
【図９】[0030]様々な例による、スケジューリングモジュールの一例のブロック図。
【図１０】[0031]様々な例による、ワイヤレス通信システムの一例と、ユーザ機器の一例のブロック図とを示す図。
【図１１】[0032]様々な例による、スケジューリングモジュールの一例のブロック図。
【図１２】[0033]様々な例による、ｅＮＢとＵＥとを含むワイヤレス通信システムの一例のブロック図。
【図１３】[0034]様々な例による、マルチサブフレームスケジューリングのための方法のフローチャート。
【図１４】[0035]様々な例による、マルチサブフレームスケジューリングのための別の方法のフローチャート。
【図１５】[0036]様々な例による、マルチサブフレームスケジューリングのための別の方法のフローチャート。
【図１６】[0037]様々な例による、マルチサブフレームスケジューリングのための別の方法のフローチャート。
【発明を実施するための形態】
【００２３】
[0038]本開示の様々な態様は、単一のスケジューリング動作における複数のサブフレームのためのスケジューリング送信を提供する。サブフレームのセットのためのマルチサブフレームスケジューリング情報送信においてスケジューリング情報が提供される。マルチサブフレーム情報の下でのサブフレームについての特性の差異が決定され、サブフレーム特性に基づいて１つまたは複数のサブフレーム中の通信についての１つまたは複数の性質が調整され得る。そのようなマルチサブフレームスケジューリングは、アップリンクまたはダウンリンク送信をスケジュールすることについて低減されたオーバーヘッドを可能にし得る。
【００２４】
[0039]本明細書で説明される技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６の標準規格を含む。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ：Long Term Evolution）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と呼ばれる団体からの文書に記載されている。本明細書で説明される技法は、上記のシステムおよび無線技術、ならびに他のシステムおよび無線技術に使用され得る。たとえば、本明細書で説明される技法は、共有または無認可スペクトルにおいてＬＴＥまたはＬＴＥ−Ａ送信に適用され得る。本明細書で説明する技法はまた、マシンタイプ通信（ＭＴＣ）またはマシンツーマシン（Ｍ２Ｍ）通信に適用され得る。ただし、以下の説明では、例としてＬＴＥシステムについて説明し、以下の説明の大部分においてＬＴＥ用語が使用されるが、本技法はＬＴＥ適用例以外に適用可能である。
【００２５】
[0040]したがって、以下の説明は、例を与えるものであり、特許請求の範囲において記載される範囲、適用性、または構成を限定するものではない。本開示の趣旨および範囲から逸脱することなく、論じられる要素の機能および構成において変更が行われ得る。様々な例は、適宜に様々なプロシージャまたは構成要素を省略、置換、または追加し得る。たとえば、説明される方法は、説明される順序とは異なる順序で実行され得、様々なステップが追加、省略、または組み合わせられ得る。また、いくつかの例に関して説明される特徴は、他の例において組み合わせられ得る。
【００２６】
[0041]最初に図１を参照すると、図はワイヤレス通信システム１００の一例を示している。ワイヤレス通信システム１００は、ｅノードＢ（ｅＮＢ）（またはセル）１０５と、ユーザ機器（ＵＥ）１１５と、コアネットワーク１３０とを含む。ｅＮＢ１０５は、様々な例ではコアネットワーク１３０またはｅＮＢ１０５の一部であり得る、基地局コントローラ（図示せず）の制御下でＵＥ１１５と通信し得る。ｅＮＢ１０５は、バックホールリンク１３２を通してコアネットワーク１３０と制御情報および／またはユーザデータを通信し得る。バックホールリンクは、ワイヤードバックホールリンク（たとえば、銅、ファイバーなど）および／またはワイヤレスバックホールリンク（たとえば、マイクロ波など）であり得る。例では、ｅＮＢ１０５は、ワイヤードまたはワイヤレス通信リンクであり得るバックホールリンク１３４を介して互いと直接または間接的に通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明された様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００２７】
[0042]ｅＮＢ１０５は、１つまたは複数のｅＮＢアンテナを介してＵＥ１１５とワイヤレス通信し得る。ｅＮＢ１０５サイトの各々は、それぞれの地理的エリア１１０に通信カバレージを与え得る。いくつかの例では、ｅＮＢ１０５は、基地局、基地トランシーバ局、無線基地局、アクセスポイント、無線トランシーバ、基本サービスセット（ＢＳＳ）、拡張サービスセット（ＥＳＳ）、ノードＢ、ホームノードＢ、ホームｅノードＢ、または何らかの他の好適な用語で呼ばれることがある。ｅＮＢのための地理的エリア１１０は、カバレージエリアの一部分のみを構成するセクタ（図示せず）に分割され得る。ワイヤレス通信システム１００は、異なるタイプのｅＮＢ１０５（たとえば、マクロ基地局、マイクロ基地局、および／またはピコ基地局）を含み得る。異なる技術のための重複するカバレージエリアがあり得る。
【００２８】
[0043]ワイヤレス通信システム１００は、同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。例では、いくつかのｅＮＢ１０５は同期であり得るが、他のｅＮＢは非同期であり得る。
【００２９】
[0044]ＵＥ１１５はワイヤレス通信システム１００全体にわたって分散され、各デバイスは固定または移動であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、ユーザ機器、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。通信デバイスは、マクロ基地局、ピコ基地局、フェムト基地局、リレー基地局などと通信することが可能であり得る。
【００３０】
[0045]ワイヤレス通信システム１００に示された通信リンク１２５は、ＵＥ１１５からｅＮＢ１０５へのアップリンク（ＵＬ）送信、および／またはｅＮＢ１０５からＵＥ１１５へのダウンリンク（ＤＬ）送信を含み得る。ダウンリンク送信は順方向リンク送信と呼ばれることもあり、一方、アップリンク送信は逆方向リンク送信と呼ばれることもある。例では、通信リンク１２５は、トラフィックフレーム内の双方向トラフィックを搬送するＦＤＤまたはＴＤＤキャリアであり得る。ｅＮＢ１０５とＵＥ１１５との間でデータトラフィックが送信され得る。データを送信するために使用されるエアインターフェースのためのリソースの基本ユニットは、リソースブロック（ＲＢ）である。ｅＮＢ１０５は、データ転送のためにＵＥ１１５にＲＢを割り振るスケジューラを含み得る。ＲＢは、いくつかのデータのフレーム、および関連するサブフレームを与えるように構成され得、各関連するサブフレームはいくつかのリソース要素（ＲＥ）を有する。本開示の様々な態様は、複数のサブフレームが単一のスケジューリング送信でスケジュールされ得ることを規定し、潜在的に、以下でより詳細に説明されるように、リソースをスケジュールすることに関連するシグナリングオーバーヘッドを著しく低減する。
【００３１】
[0046]例では、ワイヤレス通信システム１００はＬＴＥ／ＬＴＥ−Ａネットワークである。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢ１０５は、マクロセル、ピコセル、フェムトセル、および／または他のタイプのセルに通信カバレージを与え得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルは、概して、比較的小さい地理的エリアをカバーすることになり、ネットワークプロバイダのサービスに加入しているＵＥによる無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスをも提供し得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。いくつかの例では、ｅＮＢは、認可スペクトルにわたってＵＥ１１５とまたは互いに通信し得る。追加または代替として、ｅＮＢは、共有または無認可スペクトルにわたってＵＥ１１５とまたは互いに通信し得る。追加の例では、ワイヤレス通信システム１００は、１つまたは複数のマシンタイプデバイス間のマシンタイプ通信（ＭＴＣ）またはマシンツーマシン（Ｍ２Ｍ）通信の通信を行い得る。
【００３２】
[0047]ＬＴＥ／ＬＴＥ−Ａネットワークアーキテクチャによるワイヤレス通信システム１００は、発展型パケットシステム（ＥＰＳ：Evolved Packet System）と呼ばれることがある。ＥＰＳは、１つまたは複数のＵＥ１１５と、発展型ＵＭＴＳ地上波無線アクセスネットワーク（Ｅ−ＵＴＲＡＮ：Evolved UMTS Terrestrial Radio Access Network）と、発展型パケットコア（ＥＰＣ：Evolved Packet Core）（たとえば、コアネットワーク１３０）と、ホーム加入者サーバ（ＨＳＳ：Home Subscriber Server）と、事業者のＩＰサービスとを含み得る。ＥＰＳは、他の無線アクセス技術を使用して他のアクセスネットワークと相互接続し得る。たとえば、ＥＰＳは、１つまたは複数のサービングＧＰＲＳサポートノード（ＳＧＳＮ：Serving GPRS Support Node）を介してＵＴＲＡＮベースのネットワークおよび／またはＣＤＭＡベースのネットワークと相互接続し得る。ＵＥ１１５のモビリティおよび／または負荷分散をサポートするために、ＥＰＳは、ソースｅＮＢ１０５とターゲットｅＮＢ１０５との間のＵＥ１１５のハンドオーバをサポートし得る。ＥＰＳは、同じＲＡＴ（たとえば、他のＥ−ＵＴＲＡＮネットワーク）のｅＮＢ１０５および／または他の基地局間のＲＡＴ内ハンドオーバと、異なるＲＡＴ（たとえば、Ｅ−ＵＴＲＡＮ対ＣＤＭＡなど）のｅＮＢおよび／または基地局間のＲＡＴ間ハンドオーバとをサポートし得る。ＥＰＳはパケット交換サービスを与え得るが、当業者なら容易に諒解するように、本開示全体にわたって提示される様々な概念は、回線交換サービスを与えるネットワークに拡張され得る。
【００３３】
[0048]Ｅ−ＵＴＲＡＮは、ｅＮＢ１０５を含み得、ＵＥ１１５に対してユーザプレーンプロトコル終端と制御プレーンプロトコル終端とを与え得る。ｅＮＢ１０５は、バックホールリンク１３４（たとえば、Ｘ２インターフェース）を介して他のｅＮＢ１０５に接続され得る。ｅＮＢ１０５は、ＵＥ１１５にＥＰＣへのアクセスポイントを与え得る。ｅＮＢ１０５はバックホールリンク１３２（たとえば、Ｓ１インターフェース）によってＥＰＣに接続され得る。ＥＰＣ内の論理ノードは、１つまたは複数のモビリティ管理エンティティ（ＭＭＥ：Mobility Management Entity）と、１つまたは複数のサービングゲートウェイと、１つまたは複数のパケットデータネットワーク（ＰＤＮ：Packet Data Network）ゲートウェイとを含み得る（図示せず）。概して、ＭＭＥはベアラおよび接続管理を行い得る。すべてのユーザＩＰパケットはサービングゲートウェイを通して転送され得、サービングゲートウェイ自体はＰＤＮゲートウェイに接続され得る。ＰＤＮゲートウェイはＩＰアドレス割振りならびに他の機能をＵＥに与え得る。ＰＤＮゲートウェイはＩＰネットワークおよび／または事業者のＩＰサービスに接続され得る。これらの論理ノードは別個の物理ノードにおいて実装され得るか、あるいは１つまたは複数が単一の物理ノードにおいて組み合わせられ得る。ＩＰネットワーク／事業者のＩＰサービスは、インターネット、イントラネット、ＩＰマルチメディアサブシステム（ＩＭＳ：IP Multimedia Subsystem）、および／またはパケット交換（ＰＳ：Packet-Switched）ストリーミングサービス（ＰＳＳ：PS Streaming Service）を含み得る。
【００３４】
[0049]ＵＥ１１５は、たとえば、多入力多出力（ＭＩＭＯ：Multiple Input Multiple Output）、多地点協調（ＣｏＭＰ：Coordinated Multi-Point）、または他の方式を通して、複数のｅＮＢ１０５と共同的に通信するために構成され得る。ＭＩＭＯ技法は、複数のデータストリームを送信するためにマルチパス環境を利用するために、ｅＮＢ上の複数のアンテナおよび／またはＵＥ上の複数のアンテナを使用する。ＣｏＭＰは、ＵＥのための全体的送信品質を改善し、ならびにネットワークおよびスペクトル利用を高めるための、いくつかのｅＮＢによる送信および受信の動的協調のための技法を含む。概して、ＣｏＭＰ技法は、ＵＥ１１５のための制御プレーン通信とユーザプレーン通信とを協調させるために、ｅＮＢ１０５間の通信のためにバックホールリンク１３２および／または１３４を利用する。
【００３５】
[0050]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを実行し得る。媒体アクセス制御（ＭＡＣ：Medium Access Control）レイヤが、優先度処理と、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ）を使用し得る。制御プレーンでは、無線リソース制御（ＲＲＣ）プロトコルレイヤは、ユーザプレーンデータのために使用される、ＵＥとネットワークとの間のＲＲＣ接続の確立と構成と保守とを行い得る。物理レイヤにおいて、トランスポートチャネルは物理チャネルにマッピングされ得る。
【００３６】
[0051]ＬＴＥ／ＬＴＥ−Ａは、ダウンリンク上では直交周波数分割多元接続（ＯＦＤＭＡ）を利用し、アップリンク上ではシングルキャリア周波数分割多元接続（ＳＣ−ＦＤＭＡ）を利用する。ＯＦＤＭＡおよびＳＣ−ＦＤＭＡは、システム帯域幅を、一般にトーン、ビンなどとも呼ばれる複数（Ｋ個）の直交サブキャリアに区分する。各サブキャリアはデータで変調され得る。隣接するサブキャリア間の間隔は固定であり得、サブキャリアの総数（Ｋ）はシステム帯域幅に依存し得る。たとえば、Ｋは、１．４、３、５、１０、１５、または２０メガヘルツ（ＭＨｚ）の（ガード帯域をもつ）対応するシステム帯域幅に対して、それぞれ、１５キロヘルツ（ＫＨｚ）のサブキャリア間隔をもつ７２、１８０、３００、６００、９００、または１２００に等しくなり得る。システム帯域幅はまた、サブバンドに区分され得る。たとえば、サブバンドは１．０８ＭＨｚをカバーし得、１つ、２つ、４つ、８つまたは１６個のサブバンドがあり得る。
【００３７】
[0052]ワイヤレス通信システム１００は、キャリアアグリゲーション（ＣＡ：carrier aggregation）またはマルチキャリア動作と呼ばれることがある、複数のキャリア上での動作をサポートし得る。キャリアは、コンポーネントキャリア（ＣＣ：component carrier）、チャネルなどと呼ばれることもある。「キャリア」、「ＣＣ」、および「チャネル」という用語は、本明細書では互換的に使用され得る。ダウンリンクのために使用されるキャリアはダウンリンクＣＣと呼ばれることがあり、アップリンクのために使用されるキャリアはアップリンクＣＣと呼ばれることがある。ＵＥは、キャリアアグリゲーションのために、複数のダウンリンクＣＣと１つまたは複数のアップリンクＣＣとで構成され得る。ｅＮＢは、１つまたは複数のダウンリンクＣＣ上でデータと制御情報とをＵＥに送信し得る。ＵＥは、１つまたは複数のアップリンクＣＣ上でデータと制御情報とをｅＮＢに送信し得る。
【００３８】
[0053]ｅＮＢ１０５は、１つまたは複数のＵＥ１１５にリソースを割り振るスケジューラを含み得る。ＵＥ１１５へのリソースの割振りは、特定のＵＥ１１５にスケジュールされる物理ダウンリンク共有チャネル（ＰＤＳＣＨ）または物理アップリンク共有チャネル（ＰＵＳＣＨ）リソースを指定する、物理ダウンリンク制御チャネル（ＰＤＣＣＨ）または物理アップリンク制御チャネル（ＰＵＣＣＨ）を使用してＵＥ１１５にシグナリングされ得る。単一のダウンリンク制御チャネルは、１つのサブフレーム中での単一のＰＤＳＣＨ送信または１つのサブフレーム中での単一のＰＵＳＣＨ送信をスケジュールし得る。そのような各制御チャネルスケジューリング送信はいくつかのリソースを消費し、このリソースは、いくつかの実装形態では、送信のために利用可能な無線リソースのかなりの量であり得る。たとえば、ＰＤＣＣＨについてのスケジューリング情報を有する１つの制御シンボルは、いくつかのＬＴＥシステムでは通常のキャリアペアのために７％のオーバーヘッドを生じ得る。いくつかのシステムでは、制御情報を送信するために、分散された拡張ＰＤＣＣＨ（ＥＰＤＣＣＨ）が使用され得、スケジューリング情報を有する制御シンボルは、そのようなシステムにおいて２つの物理リソースブロック（ＰＲＢ：physical resource block）ペアを必要とし得、いくつかの実装形態では４％のオーバーヘッドを生じる。本開示の様々な態様は、複数のサブフレームが単一のスケジューリング送信でスケジュールされ得ることを規定し、潜在的にそのようなオーバーヘッドを著しく低減する、たとえば、４つのサブフレームが単一の制御チャネル送信でスケジュールされた場合、スケジューリング送信に関係するオーバーヘッドは７５％程度だけも低減され得る。
【００３９】
[0054]図２を参照すると、図２００が、様々な例によるマルチサブフレームスケジューリングを示している。この図では、４つのサブフレーム２０５〜２２０、すなわちサブフレームｎ２０５、サブフレームｎ＋１  ２１０、サブフレームｎ＋２  ２１５、およびサブフレームｎ＋３  ２２０が示されている。各サブフレーム２０５〜２２０は、ＵＥ（たとえば、図１のＵＥ１１５）に割り振られた対応するＰＤＳＣＨリソース２２５〜２４０を含む。いくつかの例では、ＰＤＳＣＨリソース２２５〜２４０のためのスケジューリングが、ｅＮＢ（たとえば、図１のｅＮＢ１０５）からＵＥに制御チャネル送信２４５上で送信される。この例では、ＰＤＣＣＨまたはＥＰＤＣＣＨ送信であり得る制御チャネル送信２４５は、サブフレームｎ２０５中のトランスポートブロック１（ＴＢ１）２２５のＰＤＳＣＨと、サブフレームｎ＋１  ２１０中のＴＢ２  ２３０のＰＤＳＣＨと、サブフレームｎ＋２  ２１５中のＴＢ３  ２３５のＰＤＳＣＨと、サブフレームｎ＋３  ２２０中のＴＢ４  ２４０のＰＤＳＣＨとをスケジュールするために使用され得る。いくつかの例では、トランスポートブロックＴＢ１〜ＴＢ４の各々は、一意のトランスポートブロックであり、複数のサブフレームにわたって繰り返される同じトランスポートブロックではない。いくつかの例によれば、サブフレーム２０５〜２２０の各々は、特定のサブフレームのための利用可能なリソースに影響を及ぼし得る異なる特性を有し得、サブフレーム２０５〜２２０のためのスケジュールされるリソースはこれらの異なる特性に基づいて調整され得る。図２の例はダウンリンクチャネルに関して論じられているが、説明された例はアップリンクチャネルにも適用可能であり得ることが容易に理解されるであろう。
【００４０】
[0055]このようにして、ＵＥは、サブフレーム２０５中で、サブフレーム２０５〜２２０のセットについて制御チャネル送信２４５上のマルチサブフレームスケジューリング情報を受信し得る。マルチサブフレームスケジューリング情報は、たとえば、ｅＮＢ、異なるＵＥ、および／または他のタイプのワイヤレスノードから受信され得る。ＵＥは、次いで、サブフレーム２０５〜２２０のうちの１つまたは複数についての特性の差異を決定し、これらの差異に基づいて通信についての１つまたは複数の性質を調整し得る。いくつかの例では、ＵＥは、そのような差異を説明する制御チャネル通信２４５上で、スケジューリング情報を受信し得、他の例では、ＵＥは、サブフレームｎ２０５に関係するスケジューリング情報を受信し、サブフレーム２１０〜２２０の決定された特性、およびサブフレームｎ２０５との差異に基づいて、サブフレームｎ＋１  ２１０〜サブフレームｎ＋３についてこのスケジューリング情報を修正し得る。そのような差異は、たとえば、サブフレーム２０５のＲＢに対するサブフレーム２１０〜２２０のうちの１つまたは複数中の異なる利用可能なリソースブロック（ＲＢ）、１つまたは複数のサブフレーム２１０〜２２０中の可能にされないＰＤＳＣＨ／ＰＵＳＣＨ送信、および１つまたは複数のサブフレーム２０５〜２２０中のパンクチャド復調基準信号（ＤＭ−ＲＳ）パターンを含み得る。
【００４１】
[0056]たとえば、サブフレーム２０５〜２２０のうちの１つが、たとえば、チャネル状態情報基準信号（ＣＳＩ−ＲＳ：channel state information reference signal）または測位基準信号（ＰＲＳ：positioning reference signal）を含むサブフレームなど、低減された数のリソースが利用可能である特殊サブフレームである場合、リソースブロック（ＲＢ）利用可能性が影響を受け得る。そのような場合、影響を受けたサブフレームは、ＰＤＳＣＨ送信のために利用不可能であるＲＢの何らかの数を有することになり、したがって、サブフレームｎと影響を受けたサブフレームとの間のスケジューリング情報は同じでないことがある。サブフレーム２０５〜２２０間の差異はまた、ＰＤＳＣＨリソース２２５〜２４０のうちの１つまたは複数と、サブフレーム２０５〜２２０のうちの１つまたは複数中で送信されるべき、たとえば、１次同期信号（ＰＳＳ）、２次同期信号（ＳＳＳ）、物理ブロードキャストチャネル（ＰＢＣＨ）、または共通基準信号（ＣＲＳ）のうちの少なくとも１つとの間の衝突条件の場合に存在し得る。差異はまた、サブフレーム２１０〜２２０のうちの１つまたは複数が、マルチキャストブロードキャスト単一周波数ネットワーク（ＭＢＳＦＮ）ダウンリンクサブフレーム、非ＭＢＳＦＮサブフレーム、特殊サブフレーム、またはオールモストブランクサブフレーム（ＡＢＳ：almost blank subframe）など、サブフレームｎ２０５とは異なるサブフレームのタイプである場合に生じ得る。
【００４２】
[0057]さらに、サブフレーム２１０〜２２０のうちの１つまたは複数は、ＰＤＳＣＨまたはＰＵＳＣＨ送信を可能にしないタイプであり得る。たとえば、マルチメディアブロードキャストマルチキャストサービス（ＭＢＭＳ）および測定ギャップサブフレームでは、ＰＵＳＣＨおよび／またはＰＤＳＣＨ送信がサポートされず、ＡＢＳサブフレーム中ではＰＤＳＣＨ送信が好ましくない。さらに、サブフレーム２０５〜２２０間の差異は、特定のサブフレーム２０５〜２２０のための半永続的スケジューリング（ＳＰＳ）割当ての存在または不在から生じ得る。さらに、上述のように、サブフレーム２０５〜２２０との差異はサブフレーム中のパンクチャドＤＭ−ＲＳパターンから生じ得る。たとえば、ＰＳＳまたはＳＳＳが送信されるリソースブロック中では、低減されたチャネル推定性能が経験され、そのようなサブフレーム中で低減されたランクがサポートされるように、いくつかのＤＭ−ＲＳリソース要素がパンクチャされ得る。いくつかの例では、非パンクチャドサブフレームは８のランク（たとえば、ＵＥに送信される符号化され変調されたデータの最高８つのレイヤ）をサポートすることになるが、パンクチャドサブフレームは４の最大ランクをサポートする。サブフレーム２０５〜２２０のセットの各サブフレームのためのサブフレームコーディングの処理は、サブフレーム２０５〜２２０が適切に送信および受信されることを保証するために、１つまたは複数のサブフレームへの何らかの調整に基づいて実行される。
【００４３】
[0058]いくつかの例によれば、トランスポートブロックサイズが、マルチサブフレーム割当てにおいて１つまたは複数のサブフレーム間の差異に基づいて調整され得る。たとえば、図３を参照すると、図３００は、１つまたは複数のサブフレームのトランスポートブロックサイズが調整され得る、様々な例によるマルチサブフレームスケジューリングを示している。この図では、４つのサブフレーム３０５〜３２０、すなわちサブフレームｎ３０５、サブフレームｎ＋１  ３１０、サブフレームｎ＋２  ３１５、およびサブフレームｎ＋３  ３２０が示されている。各サブフレーム３０５〜３２０は、ＵＥ（たとえば、図１のＵＥ１１５）に割り振られた対応するＰＤＳＣＨリソース３２５〜３４０を含む。いくつかの例では、ＰＤＳＣＨリソース３２５〜３４０のためのスケジューリングが、ｅＮＢ（たとえば、図１のｅＮＢ１０５）からＵＥに制御チャネル送信３４５上で送信される。この例では、サブフレームｎ＋１  ３１０は、サブフレームｎ＋１  ３１０中のＰＤＳＣＨリソース利用可能性に基づいて調整される、調整されたトランスポートブロックサイズを有するＰＤＳＣＨリソース３３０を有し得る。たとえば、サブフレームｎ３０５のためのＴＢＳは、既知の技法に従って、サブフレームｎ３０５のためのＲＢの数（ＮRBs：number of RBs）とＭＣＳインデックス（ＩMCS：MCS index）との関数として決定され得る。すなわち、ＴＢＳnはｆ（ＮRBs，ＩMCS）として決定され得る。いくつかの例では、ＴＢＳnは、ルックアップテーブルに従ってＮRBとＩMCSとに基づいて決定され得る。一例では、サブフレームｎ＋１  ３１０は、たとえば、上記で説明されたような状況から生じ得る、低減された数の利用可能なＲＢを有する。
【００４４】
[0059]サブフレームｎ＋１  ３１０のためのＴＢＳは、いくつかの例によれば、サブフレームｎ３０５のためのＴＢＳをスケーリングすることによって決定され得る。たとえば、サブフレームｎ＋１について、（ＴＢＳn+1）は
【数１】
0006426111.tif 000002
【００４５】
として決定され得る。したがって、サブフレームｎ＋１  ３１０のためのＴＢＳは、サブフレームｎ＋１のための利用可能なＲＢの数（ＮRBs）をサブフレームｎ＋１のリソース要素（ＲＥ）の数（ＮREs,n+1）とサブフレームｎのＲＥの数（ＮREs,n）との比でスケーリングすることによって、および上記で説明されたようにＴＢＳを決定するための同様の関数またはルックアップテーブルを使用して決定され得る。代替的に、いくつかの例では、サブフレームｎ＋１  ３１０のためのＴＢＳは、サブフレームｎ３０５とサブフレームｎ＋１  ３１０とのためのＲＥの数に直接基づいてサブフレームｎ３０５のためのＴＢＳをスケーリングすることによって決定され得、すなわち、
【数２】
0006426111.tif 000003
【００４６】
。ＵＥとｅＮＢの両方は、そのような調整に関して整合させられ、いくつかの例では、ｅＮＢは、調整の整合を保証するためにスケーリングのための命令をＵＥに与え得る。そのような命令は、マルチサブフレーム割当てにおけるＴＢＳ調整と、たとえば、ＴＢＳ決定関数において使用されるＲＢの数をスケーリングするためのルール、または様々なサブフレームのＲＥに直接基づいてＴＢＳをスケーリングするためのルールなど、その調整をどのように行うべきかに関する特定のルールとを有効または無効にするために、たとえば、ＲＲＣシグナリングにおいて与えられ得る。他の例では、サブフレームのうちの１つまたは複数のためのＭＣＳは、異なるトランスポートブロックサイズをも定義し得る異なるＭＣＳインデックス値に調整され得る。ＭＣＳインデックス調整は、マルチサブフレーム割当てにおけるＭＣＳインデックス調整と、様々なサブフレーム特性の差異に基づいてその調整をどのように行うかに関する特定のルールとを有効または無効にするために、上記で説明されたのと同様に、ＲＲＣシグナリングにおいて与えられ得る。
【００４７】
[0060]いくつかの例によれば、リソース割振りが、マルチサブフレーム割当てにおいて１つまたは複数のサブフレーム間の差異に基づいて調整され得る。たとえば、図４を参照すると、図４００は、１つまたは複数のサブフレームのリソース割振りが調整され得る、様々な例によるマルチサブフレームスケジューリングを示している。この図では、４つのサブフレーム４０５〜４２０、すなわちサブフレームｎ４０５、サブフレームｎ＋１  ４１０、サブフレームｎ＋２  ４１５、およびサブフレームｎ＋３  ４２０が示されている。各サブフレーム４０５〜４２０は、ＵＥ（たとえば、図１のＵＥ１１５）に割り振られた対応するＰＤＳＣＨリソース４２５〜４４０を含む。いくつかの例では、ＰＤＳＣＨリソース４２５〜４４０のためのスケジューリングが、ｅＮＢ（たとえば、図１のｅＮＢ１０５）からＵＥに制御チャネル送信４４５上で送信される。この例では、サブフレームｎ＋１  ４１０は、サブフレームｎ４０５のＲＢとは異なるＲＢを占有し得る、ＰＤＳＣＨリソース４３０−ａとＰＤＳＣＨリソース４３０−ｂとを有し得る。リソース割振りは、リソースロケーションを与えるために使用され得るダウンリンク制御インデックス（ＤＣＩ）とＲＢの数とに従って達成され得る。
【００４８】
[0061]いくつかの例では、ＤＣＩ情報は、サブフレームｎ中のＴＢ１  ４２５のＰＤＳＣＨのためのリソース割振りを行うために使用され得、サブフレームｎ＋１  ４１０がサブフレームｎ４０５とは異なる特性を有することと、ＰＤＳＣＨリソース４２５中のＲＢのうちの１つまたは複数がサブフレームｎ＋１  ４１０中で利用不可能であり得ることとが決定され得る。たとえば、ＰＤＳＣＨリソース４２５は、サブフレームｎ  ４０５中にＲＢ２１〜３０を含み得る。サブフレームｎ＋１中で、ＰＳＳ、ＳＳＳ、および／またはＰＢＣＨ送信により、たとえば、中央の６つのＲＢ（すなわち、ＲＢ２２〜２７）がＰＤＳＣＨのために利用不可能であり得ると決定され得る。一例では、サブフレームｎ＋１  ４１０のＰＤＳＣＨリソース４３０は、たとえば、ＲＢ２１およびＲＢ２８〜３０など、ＰＤＳＣＨ−ａ４３０−ａリソースとＰＤＳＣＨ−ｂ４３０−ｂリソースとの不連続なＲＢに分割される。他の例では、サブフレームｎ＋１  ４１０のＰＤＳＣＨリソース４３０は、サブフレームｎ＋１  ４１０の異なる利用可能なロケーションにおいて連続するＲＢに再マッピングされ得る。またさらなる例では、サブフレームｎ４０５のランクに対して１つまたは複数のサブフレームのランクが調整され得る。ＵＥとｅＮＢの両方は、そのような調整に関して整合させられ、いくつかの例では、ｅＮＢは、調整の整合を保証するためにリソース割振り調整のための命令をＵＥに与え得る。そのような命令は、マルチサブフレーム割当てにおけるリソース割振り調整と、単に割振りから利用不可能なＲＢを削除するためのルール、または影響を受けたサブフレーム中でリソースを他の利用可能なＲＢに再マッピングするためのルールなど、その調整をどのように行うべきかに関する特定のルールとを有効または無効にするために、たとえば、ＲＲＣシグナリングにおいて与えられ得る。
【００４９】
[0062]いくつかの例によれば、１つまたは複数のサブフレームのためのリソース割振りは、マルチサブフレーム割当てにおいて１つまたは複数のサブフレーム間の差異に基づいてスキップされ得る。たとえば、図５を参照すると、図５００は、１つまたは複数のサブフレームのリソース割振りがスキップされ得る、様々な例によるマルチサブフレームスケジューリングを示している。この図では、４つのサブフレーム５０５〜５２０、すなわちサブフレームｎ５０５、サブフレームｎ＋１  ５１０、サブフレームｎ＋２  ５１５、およびサブフレームｎ＋３  ５２０が示されている。各サブフレーム５０５〜５２０は、ＵＥ（たとえば、図１のＵＥ１１５）に割り振られた対応するＰＤＳＣＨリソース５２５〜５４０を含む。いくつかの例では、ＰＤＳＣＨリソース５２５〜５４０のためのスケジューリングが、ｅＮＢ（たとえば、図１のｅＮＢ１０５）からＵＥに制御チャネル送信５４５上で送信される。この例では、サブフレームｎ＋１  ５１０は、このサブフレームのＰＤＳＣＨリソース５３０がスキップされることを生じるいくつかの特性を有し得る。いくつかの例では、サブフレームは、サブフレームのためのリソース割振りがスキップされることを生じる特性を有すると決定するためのルールのセットが使用され得る。たとえば、サブフレームｎ＋１  ５１０は、３つまたはそれ以下のダウンリンク制御シンボルを有する特殊サブフレームなど、ある構成をもつ特殊ＴＤＤサブフレームであり得るあり得る。そのような場合、サブフレームｎ＋１  ５１０のためのＰＤＳＣＨリソース割振りはスキップされ得る。他の例では、サブフレームｎ＋１  ５１０は、ＰＳＳ、ＳＳＳ、および／またはＰＢＣＨのうちの１つまたは複数と重複するＰＤＳＣＨリソース５３０を有し得、それにより、サブフレームｎ＋１  ５１０のためのＰＤＳＣＨリソース割振りがスキップされる。したがって、そのようなサブフレーム中で制御情報の周りのリソースをスケジュールすることを試みるのではなく、単にそのサブフレームのためのリソース割振りがスキップされる。
【００５０】
[0063]他の例では、サブフレームｎ＋１  ５１０は、（ＰＤＳＣＨについての）監視または（ＰＵＳＣＨについての）送信のためにスキップされる、ＡＢＳサブフレームであり得る。さらに他の例では、サブフレームｎ＋１  ５１０は、このサブフレームが測定ギャップに入ったときにスキップされ得る。またさらなる例では、ＵＥは、ＰＤＳＣＨ割当てが偶数番号のサブフレーム（すなわちサブフレーム０、２、４、６、または８）において開始した場合、スケジューリング割当てが、４つの連続するサブフレーム、すなわちサブフレームｎ、ｎ＋１、ｎ＋２、およびｎ＋３について有効であること、を定義するルールに従って動作するようにＲＲＣによって構成され得る。このルールはさらに、ＰＤＳＣＨ割当てが奇数番号のサブフレーム（すなわち、サブフレーム１、３、５、７、または９）において開始した場合、スケジューリング割当てが、３つのサブフレーム、すなわちサブフレームｎ、ｎ＋１、およびｎ＋３について有効であること、を定義し得、このようにして、存在し得る多くの特殊サブフレームを回避する。ＵＥとｅＮＢの両方は、サブフレームリソーススケジューリングのそのようなスキップに関して整合させられ、いくつかの例では、ｅＮＢは、スキップされるサブフレームの整合を保証するために、リソース割振り調整とリソース割振りのスキップとのための命令をＵＥに与え得る。そのような命令は、マルチサブフレーム割当てにおけるいくつかのサブフレームのスキップと、サブフレームをスキップする決定をどのように行うべきかに関する特定のルールとを有効または無効にするために、たとえば、ＲＲＣシグナリングにおいて与えられ得る。
【００５１】
[0064]さらに、いくつかの例によれば、サブフレームが半永続的スケジューリング（ＳＰＳ）割当てを有する場合、そのサブフレームのためのスケジューリングがスキップされ得る。たとえば、図６を参照すると、図６００は、ＳＰＳ割当てを有する１つまたは複数のサブフレームのリソース割振りがスキップされ得る、様々な例によるマルチサブフレームスケジューリングを示している。この図では、４つのサブフレーム６０５〜６２０、すなわちサブフレームｎ６０５、サブフレームｎ＋１  ６１０、サブフレームｎ＋２  ６１５、およびサブフレームｎ＋３  ６２０が示されている。各サブフレーム６０５〜６２０は、ＵＥ（たとえば、図１のＵＥ１１５）に割り振られた対応するＰＤＳＣＨリソース６２５〜６４０を含む。いくつかの例では、ＰＤＳＣＨリソース６２５〜６４０のためのスケジューリングが、ｅＮＢ（たとえば、図１のｅＮＢ１０５）からＵＥに制御チャネル送信６４５上で送信される。この例では、サブフレームｎ＋１  ６１０がＳＰＳ割振り６５０を有し得る。そのような場合、このサブフレームのＰＤＳＣＨリソース６３０はスキップされ得る。いくつかの他の例では、ＰＤＳＣＨリソース６３０はスケジュールされ続け得、ＳＰＳ割当てがスキップした。またさらなる例では、ＰＤＳＣＨリソース６３０のリソース割振りは、ＳＰＳ  ＰＤＳＣＨリソースの周りにスケジュールするように調整され得る。上記で論じられたのと同様に、ＵＥとｅＮＢの両方は、サブフレームリソーススケジューリングのそのようなスキップに関して整合させられ、いくつかの例では、ｅＮＢは、スキップされるサブフレームの整合を保証するために、リソース割振りのスキップのための命令をＵＥに与え得る。そのような命令は、マルチサブフレーム割当てにおけるいくつかのサブフレームのスキップと、サブフレームをスキップする決定をどのように行うべきかに関する特定のルールとを有効または無効にするために、たとえば、ＲＲＣシグナリングにおいて与えられ得る。
【００５２】
[0065]次に図７を参照すると、図７００は、制御チャネル送信が第２のスケジューリング割当てを示し得る、様々な例によるマルチサブフレームスケジューリングを示している。この図では、４つのサブフレーム７０５〜７２０、すなわちサブフレームｎ７０５、サブフレームｎ＋１  ７１０、サブフレームｎ＋２  ７１５、およびサブフレームｎ＋３  ７２０が示されている。各サブフレーム７０５〜７２０は、ＵＥ（たとえば、図１のＵＥ１１５）に割り振られた対応するＰＤＳＣＨリソース７２５〜７４０を含む。いくつかの例では、ＰＤＳＣＨリソース７２５〜７４０のためのスケジューリングが、ｅＮＢ（たとえば、図１のｅＮＢ１０５）からＵＥに制御チャネル送信７４５上で送信される。この例では、ＰＤＳＣＨリソースのための第２のスケジューリングが、ｅＮＢからＵＥに制御チャネル送信７５０上で送信される。図７の、この例では、ＰＤＳＣＨリソースのための第２のスケジューリングは無視され得、サブフレーム７０５〜７２０のためのリソーススケジューリングは、制御チャネル送信７４５において与えられるリソース割振りに従って継続し得る。他の例では、新しい制御チャネル送信７５０が、第１の制御チャネル送信７４５によって与えられた既存のスケジューリング情報と入れ替わり得る。上記で論じられたのと同様に、ＵＥとｅＮＢの両方は、第２の制御チャネル送信７５０のそのような処理に関して整合させられ、いくつかの例では、ｅＮＢは、スケジュールされるリソースの整合を保証するために、そのような処理のための命令をＵＥに与え得る。そのような命令は、たとえば、マルチサブフレーム割当て中のそのような第２の制御チャネル送信の処理に関するＲＲＣシグナリングにおいて与えられ得る。
【００５３】
[0066]さらなる例では、マルチサブフレームスケジューリングを実行すべきかどうかおよびそれをどのように実行すべきかが他のファクタにも依存し得る。たとえば、いくつかのタイプのＰＤＳＣＨは、マルチサブフレームスケジューリングとの適合性がないことがある。たとえば、ブロードキャストまたはマルチキャストＰＤＳＣＨ送信はマルチサブフレームスケジューリングとの適合性がないことがある。さらに、いくつかのＤＣＩフォーマットは、いくつかの例によれば、マルチサブフレームスケジューリングが行われ得るかどうかおよびそれがどのように行われ得るかを示し得る。たとえば、ＤＣＩフォーマット０および１Ａは、マルチサブフレームスケジューリングが可能にされないこと、ＤＣＩフォーマット２Ｄではマルチサブフレームスケジューリングが可能にされ得ることを示し得る。代替的に、いくつかの例では、ＤＣＩフォーマット０および１Ａでは２つのサブフレームのためのマルチサブフレームスケジューリングが許可され得、ＤＣＩフォーマット２Ｄでは４つのサブフレームのスケジューリングが可能にされ得る。もちろん、多数の他の例が当業者には容易に明らかとなり、上記の例は網羅的なリストを与えるものではない。さらに、マルチサブフレームスケジューリングは、たとえば、マルチサブフレームスケジューリングなしに実装された共通探索空間からのサブフレーム、およびマルチサブフレーム送信のためにスケジュールされたＵＥ固有探索空間からのサブフレームを用いて、復号ソースまたは復号候補に基づいて実行され得る。さらなる例では、マルチサブフレームスケジューリングの利用可能性を決定するために制御チャネルタイプが使用され得る。たとえば、ＰＤＣＣＨ送信はマルチサブフレームスケジューリングを利用しないことがあるが、ＥＰＤＣＣＨ送信はマルチサブフレームスケジューリングを利用することがある。さらに、いくつかの態様では、マルチサブフレームスケジューリングは、チャネル条件が比較的厳密に管理され得るＬＴＥシステムにおける小さいセルと併せて実装され得る。そのような小さいセル中に存在し得るそのようなチャネル条件は、マルチサブフレームスケジューリングに関連するオーバーヘッド低減について拡張された機会を提供し得る。
【００５４】
[0067]図８は、様々な例による、マルチサブフレームスケジューリングのために構成され得るワイヤレス通信システム８００のブロック図を示している。このワイヤレス通信システム８００は、図１に示されたワイヤレス通信システム１００の態様の一例であり得る。ワイヤレス通信システム８００はｅＮＢ１０５−ａを含み得る。ｅＮＢ１０５−ａは、アンテナ８４５と、トランシーバモジュール８５０と、メモリ８７０と、プロセッサモジュール８６０とを含み得、その各々は、（たとえば、１つまたは複数のバス８８０を介して）互いと直接または間接的に通信していることがある。トランシーバモジュール８５０は、アンテナ８４５を介して、ＵＥ１１５−ａ、１１５−ｂと、双方向に通信するように構成され得る。トランシーバモジュール８５０（および／またはｅＮＢ１０５−ｆの他の構成要素）はまた、１つまたは複数のネットワークと双方向に通信するように構成され得る。場合によっては、ｅＮＢ１０５−ａは、ネットワーク通信モジュール８６５を通してコアネットワーク１３０−ａと通信し得る。ｅＮＢ１０５−ｆは、基地局、ホームｅノードＢ基地局、ノードＢ基地局、および／またはホームノードＢ基地局の一例であり得る。
【００５５】
[0068]ｅＮＢ１０５−ａはまた、ｅＮＢ１０５−ｍおよびｅＮＢ１０５−ｎなど、他のｅＮＢ１０５と通信し得る。場合によっては、ｅＮＢ１０５−ａは、基地局通信モジュール８１５を利用して、１０５−ｍおよび／または１０５−ｎなどの他のｅＮＢと通信し得る。いくつかの例では、基地局通信モジュール８１５は、ｅＮＢ１０５のいくつかの間の通信を行うために、ＬＴＥワイヤレス通信技術内のＸ２インターフェースを与え得る。いくつかの例では、ｅＮＢ１０５−ａは、コアネットワーク１３０−ａを通して他のｅＮＢと通信し得る。
【００５６】
[0069]メモリ８７０は、ランダムアクセスメモリ（ＲＡＭ）および読取り専用メモリ（ＲＯＭ）を含み得る。メモリ８７０はまた、実行されるとプロセッサモジュール８６０に本明細書で説明される様々な機能（たとえば、呼処理、データベース管理、メッセージルーティングなど）を実行させるように構成された命令を含んでいるコンピュータ可読、コンピュータ実行可能ソフトウェアコード８７５を記憶し得る。代替的に、コンピュータ実行可能ソフトウェアコード８７５は、プロセッサモジュール８６０によって直接的に実行可能でないことがあるが、たとえば、コンパイルされ実行されると、プロセッサに本明細書で説明される機能を実行させるために構成され得る。
【００５７】
[0070]プロセッサモジュール８６０は、インテリジェントハードウェアデバイス、たとえば、中央処理ユニット（ＣＰＵ）、マイクロコントローラ、特定用途向け集積回路（ＡＳＩＣ）などを含み得る。トランシーバモジュール８５０は、パケットを変調し、変調されたパケットを送信のためにアンテナ８４５に与え、アンテナ８４５から受信されたパケットを復調するように構成されたモデムを含み得る。ｅＮＢ１０５−ａのいくつかの例は単一のアンテナ８４５を含み得るが、ｅＮＢ１０５−ａは、キャリアアグリゲーションをサポートし得る複数のリンクのための複数のアンテナ８４５を含み得る。たとえば、ＵＥ１１５−ａ、１１５−ｂとのマクロ通信をサポートするために１つまたは複数のリンクが使用され得る。
【００５８】
[0071]図８のアーキテクチャによれば、ｅＮＢ１０５−ａは、通信管理モジュール８４０をさらに含み得る。通信管理モジュール８４０は、他のｅＮＢ１０５との通信を管理し得る。例として、通信管理モジュール８４０は、バス８８０を介してｅＮＢ１０５−ａの他の構成要素の一部または全部と通信しているｅＮＢ１０５−ａの構成要素であり得る。代替的に、通信管理モジュール８４０の機能は、トランシーバモジュール８５０の構成要素として、コンピュータプログラム製品として、および／またはプロセッサモジュール８６０の１つまたは複数のコントローラ要素として実装され得る。
【００５９】
[0072]いくつかの例では、アンテナ８４５と併せて、ｅＮＢ１０５−ａの他の可能な構成要素とともに、トランシーバモジュール８５０は、ｅＮＢ１０５−ａと通信している様々なＵＥとの通信のためにマルチサブフレームスケジューリングを行い得る。いくつかの例では、ｅＮＢ１０５−ａは、ＵＥ１１５−ａ、１１５−ｂについてのマルチサブフレームスケジューリング情報を決定するＰＤＳＣＨ／ＰＵＳＣＨスケジューリングモジュール８２０を含む。図８の例では、マルチサブフレームスケジューリング通信はＵＥ１１５−ａおよび／またはＵＥ１１５−ｂに送信され得、ＵＥ１１５−ａおよび／またはＵＥ１１５−ｂは、次いで、図２〜図７に関して上記で論じられたのと同様にマルチサブフレームスケジューリングに従って動作し得る。マルチサブフレームスケジューリングに従う動作のためにＵＥ１１５−ａおよび／またはＵＥ１１５−ｂにルールのセットが与えられ得、そのようなルールはＲＲＣ構成送信モジュール８２５を通して与えられる。
【００６０】
[0073]図９は、ＳＰＳスケジュール決定モジュール９０５と、ＴＢＳ調整モジュール９１０と、リソース割振り調整モジュールと、サブフレーム割振りスキッピングモジュール９２０とを含む、ＰＤＳＣＨ／ＰＵＳＣＨスケジューリングモジュール８２０−ａの一例を示している。ＳＰＳスケジュール決定モジュール９０５は、マルチサブフレームスケジューリング割当てにおけるいずれかのサブフレームがＳＰＳリソース割振りに従わなければならないかどうかを決定し得る。マルチサブフレーム割当てにおける１つまたは複数のサブフレームがＳＰＳ割当てを有する場合、ＳＰＳスケジュール決定モジュール９０５は、マルチサブフレーム割当てにおけるリソース割振りがサブフレームについてスキップされるべきであると決定し得、または、いくつかの例では、たとえば、図６に関して上記で説明されたように、サブフレームのためのＳＰＳ割振りがスキップされるべきであると決定し得る。ＴＢＳ調整モジュール９１０は、マルチサブフレームスケジューリング割当ての１つまたは複数のサブフレームのためのＴＢＳを調整し得る。そのようなＴＢＳ調整は、たとえば、図３に関して論じられたように実行され得る。リソース割振り調整モジュール９１５は、マルチサブフレームスケジューリング割当ての１つまたは複数のサブフレームのためのリソース割振りを調整し得る。そのようなリソース割振り調整は、たとえば、図４に関して論じられたように実行され得る。サブフレーム割振りスキッピングモジュール９２０は、マルチサブフレーム割当てに従うリソースのスケジューリングが、マルチサブフレームスケジューリング割当ての１つまたは複数のサブフレームについてスキップされるべきであると決定し得る。そのような決定は、たとえば、図５に関して論じられたように実行され得る。ＰＤＳＣＨ／ＰＵＳＣＨスケジューリングモジュール８２０−ａの構成要素は、個別にまたは集合的に、ハードウェア中の適用可能な機能の一部または全部を実行するように適応された１つまたは複数のＡＳＩＣを用いて実装され得る。言及されたモジュールの各々は、ＰＤＳＣＨ／ＰＵＳＣＨスケジューリングモジュール８２０−ａの動作に関係する１つまたは複数の機能を実行するための手段であり得る。
【００６１】
[0074]次に図１０を参照すると、マルチサブフレームスケジューリングを実行する例示的なワイヤレス通信システム１０００が示されている。ワイヤレス通信システム１０００は、１つまたは複数のワイヤレスネットワークへのアクセスを受信するためにｅＮＢ１０５−ｂと通信し得るＵＥ１１５−ｃを含み、図１のワイヤレス通信システム１００または図８のワイヤレス通信システム８００の態様の一例であり得る。ＵＥ１１５−ｃは、図１または図８のＵＥ１１５のうちの１つまたは複数の一例であり得る。ＵＥ１１５−ｃは、受信機モジュール１０１０と送信機モジュール１０１５とに通信可能に結合された１つまたは複数のアンテナ１００５を含み、受信機モジュール１０１０と送信機モジュール１０１５とは制御モジュール１０２０に通信可能に結合される。制御モジュール１０２０は、１つまたは複数のプロセッサモジュール１０２５と、コンピュータ実行可能ソフトウェアコード１０３５を含み得るメモリ１０３０と、スケジューリングモジュール１０４５とを含む。コンピュータ実行可能ソフトウェアコード１０３５は、プロセッサモジュール１０２５および／またはスケジューリングモジュール１０４５が実行するためのものであり得る。
【００６２】
[0075]プロセッサモジュール１０２５は、インテリジェントハードウェアデバイス、たとえば、中央処理ユニット（ＣＰＵ）、マイクロコントローラ、特定用途向け集積回路（ＡＳＩＣ）などを含み得る。メモリ１０３０は、ランダムアクセスメモリ（ＲＡＭ）と読取り専用メモリ（ＲＯＭ）とを含み得る。メモリ１０３０は、実行されたとき（またはコンパイルされ、実行されたとき）、プロセッサモジュール１０２５および／またはスケジューリングモジュール１０４５に本明細書で説明される様々な機能（たとえば、マルチサブフレームスケジューリング、サブフレーム特性決定、およびサブフレームのためのリソースの調整）を実行させるために構成された命令を含んでいるコンピュータ可読、コンピュータ実行可能ソフトウェアコード１０３５を記憶し得る。スケジューリングモジュール１０４５は、たとえば、プロセッサモジュール１０２５の一部として実装され得、あるいは１つまたは複数の別個のＣＰＵまたはＡＳＩＣを使用して実装され得る。送信機モジュール１０１５は、上記で説明されたように、１つまたは複数のワイヤレス通信ネットワーク（たとえば、Ｅ−ＵＴＲＡＮ、ＵＴＲＡＮなど）との通信を確立するためにｅＮＢ１０５−ｂ（および／または他の基地局）に送信し得る。スケジューリングモジュール１０４５は、ｅＮＢ１０５−ｂまたは別のタイプのノードからマルチサブフレームスケジューリング情報を受信し、上記で説明されたようなサブフレーム特性の決定とリソース割振りの調整とを含めて、このマルチサブフレームスケジューリング情報に従ってｅＮＢ１０５−ｂに／から通信を送信／受信するように構成され得る。受信機モジュール１０１０は、上記で説明されたように、ｅＮＢ１０５−ｂ（および／または他の基地局）からダウンリンク送信を受信し得る。ダウンリンク送信はＵＥ１１５−ｃにおいて受信され、処理される。ＵＥ１１５−ｃの構成要素は、個別にまたは集合的に、ハードウェア中の適用可能な機能の一部または全部を実行するために適応された１つまたは複数の特定用途向け集積回路（ＡＳＩＣ）を用いて実装され得る。言及されたモジュールの各々は、ＵＥ１１５−ｃの動作に関係する１つまたは複数の機能を実行するための手段であり得る。
【００６３】
[0076]図１１は、ＲＲＣスケジューリング構成モジュール１１０５と、ＳＰＳスケジューリングモジュール１１１０と、ＴＢＳ調整モジュール１１１５と、リソース割振り調整モジュール１１２０とを含む、スケジューリングモジュール１０４５−ａの一例を示している。ＲＲＣスケジューリング構成モジュール１１０５は、様々な例によれば、上記で説明されたようなマルチサブフレームスケジューリングのためのルールのセットを定義するＲＲＣ情報を受信し得る。たとえば、ＲＲＣスケジューリング構成モジュール１１０５は、サブフレーム特性に関係して行われるべき決定と、この決定に基づいて特定のサブフレームのためのスケジュールされたリソースに行われるべき調整とに関係する情報を受信し得る。ＳＰＳスケジューリングモジュール１１１０は、ＳＰＳの存在がリソースをスケジュールしたと決定し得、図６に関して上記で説明されたように、この決定に基づいてマルチサブフレームリソース割当てまたはＳＰＳ割当てのいずれかへの調整を行い得る。ＴＢＳ調整モジュール１１１５は、マルチサブフレームスケジューリング割当ての１つまたは複数のサブフレームのためのＴＢＳを調整し得る。そのようなＴＢＳ調整は、たとえば、図３に関して論じられたように実行され得る。リソース割振り調整モジュール１１２０は、マルチサブフレームスケジューリング割当ての１つまたは複数のサブフレームのためのリソース割振りを調整し得る。そのようなリソース割振り調整は、たとえば、図４に関して論じられたように実行され得る。サブフレーム割振りスキッピングモジュール１１２５は、マルチサブフレーム割当てに従うリソースのスケジューリングが、マルチサブフレームスケジューリング割当ての１つまたは複数のサブフレームについてスキップされるべきであると決定し得る。そのような決定は、たとえば、図５に関して論じられたように実行され得る。スケジューリングモジュール１０４５−ａの構成要素は、個別にまたは集合的に、ハードウェア中の適用可能な機能の一部または全部を実行するように適応された１つまたは複数のＡＳＩＣを用いて実装され得る。言及されたモジュールの各々は、スケジューリングモジュール１０４５−ａの動作に関係する１つまたは複数の機能を実行するための手段であり得る。
【００６４】
[0077]図１２は、ｅＮＢ１０５−ｃとＵＥ１１５−ｄとを含むシステム１２００のブロック図である。このシステム１２００は、図１のワイヤレス通信システム１００、図８のワイヤレス通信システム８００、または図１０のワイヤレス通信システム１０００の一例であり得る。ｅＮＢ１０５−ｃはアンテナ１２３４−ａ〜１２３４−ｘを装備し得、ＵＥ１１５−ｄはＵＥアンテナ１２５２−ａ〜１２５２−ｎを装備し得る。ｅＮＢ１０５−ｃにおいて、送信プロセッサ１２２０が、データソースからデータを受信し得る。
【００６５】
[0078]送信プロセッサ１２２０はデータを処理し得る。送信プロセッサ１２２０はまた、基準シンボルと、セル固有基準信号とを生成し得る。送信（ＴＸ）ＭＩＭＯプロセッサ１２３０は、適用可能な場合、データシンボル、制御シンボル、および／または基準シンボルに対して空間処理（たとえば、プリコーディング）を実行し得、出力シンボルストリームを送信変調器／復調器１２３２−ａ〜１２３２−ｘに与え得る。各変調器／復調器１２３２は、（たとえば、ＯＦＤＭなどのために）それぞれの出力シンボルストリームを処理して、出力サンプルストリームを取得し得る。各変調器／復調器１２３２はさらに、出力サンプルストリームを処理（たとえば、アナログへの変換、増幅、フィルタ処理、およびアップコンバート）して、ダウンリンク（ＤＬ）信号を取得し得る。一例では、変調器／復調器１２３２−ａ〜１２３２−ｘからのＤＬ信号は、それぞれ、特定のＦＤＤまたはＴＤＤアップリンク／ダウンリンク構成に従って、アンテナ１２３４−ａ〜１２３４−ｘを介して送信され得る。
【００６６】
[0079]ＵＥ１１５−ｄにおいて、ＵＥアンテナ１２５２−ａ〜１２５２−ｎが、ｅＮＢ１０５−ｃから特定のＴＤＤアップリンク／ダウンリンク構成に従ってＤＬ信号を受信し得、受信された信号をそれぞれ変調器／復調器１２５４−ａ〜１２５４−ｎに与え得る。各変調器／復調器１２５４は、それぞれの受信信号を調節（たとえば、フィルタ処理、増幅、ダウンコンバート、およびデジタル化）して、入力サンプルを取得し得る。各変調器／復調器１２５４はさらに、（たとえば、ＯＦＤＭなどのために）入力サンプルを処理して、受信シンボルを取得し得る。ＭＩＭＯ検出器１２５６は、すべての変調器／復調器１２５４−ａ〜１２５４−ｎから受信シンボルを取得し、適用可能な場合は受信シンボルに対してＭＩＭＯ検出を実行し、検出シンボルを与え得る。受信プロセッサ１２５８が、検出シンボルを処理（たとえば、復調、デインターリーブ、および復号）し、ＵＥ１１５−ｄの復号されたデータをデータ出力に与え、復号された制御情報をプロセッサ１２８０、またはメモリ１２８２に与え得る。プロセッサ１２８０は、上記で説明されたように、マルチサブフレームスケジューリング割当て、マルチサブフレームスケジューリング割当てに従うサブフレームの１つまたは複数の特性を決定することと、決定されたサブフレーム特性に基づいてスケジューリング割当てへの調整を行うこととを行い得る、スケジューリングモジュール１２８４に結合され得る。
【００６７】
[0080]アップリンク（ＵＬ）上で、ＵＥ１１５−ｄにおいて、送信プロセッサ１２６４が、データソースからデータを受信し、処理し得る。送信プロセッサ１２６４はまた、基準信号のための基準シンボルを生成し得る。送信プロセッサ１２６４からのシンボルは、適用可能な場合、送信ＭＩＭＯプロセッサ１２６６によってプリコードされ、変調器／復調器１２５４−ａ〜１２５４−ｎによって（たとえば、ＳＣ−ＦＤＭＡなどのために）さらに処理され、ｅＮＢ１０５−ｃから受信された送信パラメータに従ってｅＮＢ１０５−ｃに送信され得る。ｅＮＢ１０５−ｃにおいて、ＵＥ１１５−ｄからのＵＬ信号がアンテナ１２３４によって受信され、変調器／復調器１２３２によって処理され、適用可能な場合はＭＩＭＯ検出器１２３６によって検出され、受信プロセッサ１２３８によってさらに処理され得る。受信プロセッサ１２３８は、復号されたデータをデータ出力とプロセッサ１２４０とに与え得る。メモリ１２４２がプロセッサ１２４０に結合され得る。プロセッサ１２４０は、現在のＴＤＤ  ＵＬ／ＤＬ構成に従ってフレームフォーマッティングを実行し得る。スケジューリングモジュール１２４４は、いくつかの例では、上記で説明されたのと同様に、マルチサブフレームスケジューリング割当て、マルチサブフレームスケジューリング割当てに従うサブフレームの１つまたは複数の特性を決定することと、決定されたサブフレーム特性に基づいてスケジューリング割当てへの調整を行うこととを行い得る。システム１２００は、複数のコンポーネントキャリア上の動作をサポートし得、それらの各々は、ｅＮＢ１０５−ｃとＵＥ１１５−ｄとの間で送信される異なる周波数の波形信号を含む。複数のコンポーネントキャリアは、ＵＥ１１５−ｄとｅＮＢ１０５−ｃとの間でアップリンクおよびダウンリンク送信を搬送し得る。ＵＥ１１５−ｄの構成要素は、個別にまたは集合的に、ハードウェア中の適用可能な機能の一部または全部を実行するように適応された１つまたは複数の特定用途向け集積回路（ＡＳＩＣ）を用いて実装され得る。言及されたモジュールの各々は、システム１２００の動作に関係する１つまたは複数の機能を実行するための手段であり得る。同様に、ｅＮＢ１０５−ｃの構成要素は、個別にまたは集合的に、ハードウェア中の適用可能な機能の一部または全部を実行するように適応された１つまたは複数の特定用途向け集積回路（ＡＳＩＣ）を用いて実装され得る。言及された構成要素の各々は、システム１２００の動作に関係する１つまたは複数の機能を実行するための手段であり得る。
【００６８】
[0081]図１３は、様々な例による、ワイヤレス通信システムのユーザ機器によって実行され得る方法１３００を示している。方法１３００は、たとえば、図１、図８、図１０、または図１２のＵＥによって、あるいはこれらの図に関して説明されたデバイスの任意の組合せを使用して実行され得る。初めに、ブロック１３０５において、ＵＥは、第１のサブフレーム中で、サブフレームのセットについてのマルチサブフレームスケジューリング情報を受信する。マルチサブフレームスケジューリング情報は、第１のサブフレームと、たとえば、２つ以上の追加のサブフレームとについてのスケジューリングを与え得る。ブロック１３１０において、ＵＥは、マルチサブフレームスケジューリング情報に基づいてサブフレームのセットのうちの１つまたは複数のサブフレームについての特性の差異を決定する。特性の差異を決定することは、たとえば、サブフレームのセットのうちの少なくとも１つのサブフレームが、第１のサブフレームとは異なる利用可能なリソースブロック（ＲＢ）を有すると決定することを含み得る。そのような決定は、利用可能なリソースブロックと、たとえば、同期動作など、特定の動作のために予約され得るリソースブロックとを決定することによって行われ得る。特性の差異を決定することはまた、たとえば、１次同期信号、２次同期信号、１次ブロードキャストチャネル、共通基準信号、測位基準信号、またはチャネル状態情報基準信号のうちの少なくとも１つとの衝突条件の存在を決定することを含み得る。特性の差異を決定することはさらに、たとえば、１つまたは複数のサブフレームのうちのサブフレームのタイプが第１のサブフレームのタイプとは異なると決定することを含み得、サブフレームの上記タイプは、マルチキャストブロードキャスト単一周波数ネットワーク（ＭＢＳＦＮ）ダウンリンクサブフレーム、非ＭＢＳＦＮサブフレーム、特殊サブフレーム、またはオールモストブランクサブフレームのうちの少なくとも１つを備える。追加または代替として、特性の差異を決定することは、たとえば、１つまたは複数のサブフレームが、物理ダウンリンク共有チャネル（ＰＤＳＣＨ）または物理アップリンク共有チャネル（ＰＵＳＣＨ）送信を可能にしないタイプ指示を有すると決定することを含み得る。さらに、場合によっては、特性の差異を決定することは、たとえば、１つまたは複数のサブフレームが半永続的スケジューリング（ＳＰＳ）割当てを有すると決定することを含み得る。
【００６９】
[0082]ブロック１３１５において、ＵＥは、決定に応答して、１つまたは複数のサブフレーム中の通信についての１つまたは複数の性質を調整する。たとえば、ＵＥは、第１のサブフレームのトランスポートブロックサイズ（ＴＢＳ）に対して１つまたは複数のサブフレームのトランスポートブロックサイズを調整し得る。トランスポートブロックサイズの調整は、第１のサブフレームに対して１つまたは複数のサブフレーム中で利用可能なリソース要素の数に基づき得、たとえば、上記で説明されたのと同様に、リソース要素に基づくＴＢＳのスケーリングを含み得る。ＵＥはまた、第１のサブフレームの変調およびコーディング方式（ＭＣＳ）に対して１つまたは複数のサブフレームのＭＣＳを調整し得る。ＵＥは、いくつかの例では、第１のサブフレームのランクに対して１つまたは複数のサブフレームのランクを調整し得る。追加または代替として、ＵＥは、パンクチャド復調基準信号（ＤＭ−ＲＳ）パターンに基づいて送信リソースを調整し得る。さらに、ＵＥは、１つまたは複数のサブフレームのリソース割振りをスキップするようにリソースのスケジューリングを調整し得る。
【００７０】
[0083]図１４は、様々な例による、ワイヤレス通信システムのユーザ機器によって実行され得る方法１４００を示している。方法１４００は、たとえば、図１、図８、図１０、または図１２のＵＥによって、あるいはこれらの図に関して説明されたデバイスの任意の組合せを使用して実行され得る。初めに、ブロック１４０５において、ＵＥは、第１のサブフレーム中で、サブフレームのセットについてのマルチサブフレームスケジューリング情報を受信する。マルチサブフレームスケジューリング情報は、ｅＮＢからまたは異なるワイヤレスノード（たとえば、別のＵＥ）から受信され得る。マルチサブフレームスケジューリング情報は、第１のサブフレームと、たとえば、２つ以上の追加のサブフレームとについてのスケジューリングを与え得る。ブロック１４１０において、ＵＥは、第２のサブフレームが、第１のサブフレームとは送信のための異なる数の利用可能なリソース要素（ＲＥ）を有すると決定する。利用可能なＲＥの数は、たとえば、たとえばＰＳＳまたはＳＳＳなどの第２のサブフレーム中で送信されるべき他の情報の存在により異なり得る。ブロック１４１５において、ＵＥは、第２のサブフレームの利用可能なＲＥの数に少なくとも部分的に基づいて第２のサブフレームのトランスポートブロックサイズ（ＴＢＳ）を調整する。ＴＢＳを調整することは、たとえば、変調およびコーディング方式（ＭＣＳ）、ならびに第２のサブフレームの利用可能なＲＥの数と第１のサブフレームの利用可能なＲＥの数との比に少なくとも部分的に基づいて第２のサブフレームのＴＢＳをスケーリングすることを含み得る。いくつかの例では、ＴＢＳを調整することは、第１のサブフレームのＴＢＳ、および第２のサブフレームの利用可能なＲＥの数と第１のサブフレームの利用可能なＲＥの数との比に少なくとも部分的に基づいて第２のサブフレームのＴＢＳをスケーリングすることを含む。
【００７１】
[0084]図１５は、様々な例による、ワイヤレス通信システムのユーザ機器によって実行され得る方法１５００を示している。方法１５００は、たとえば、図１、図８、図１０、または図１２のＵＥによって、あるいはこれらの図に関して説明されたデバイスの任意の組合せを使用して実行され得る。初めに、ブロック１５０５において、ＵＥは、第１のサブフレーム中で、サブフレームのセットについてのマルチサブフレームスケジューリング情報を受信する。マルチサブフレームスケジューリング情報は、ｅＮＢからまたは異なるワイヤレスノード（たとえば、別のＵＥ）から受信され得る。マルチサブフレームスケジューリング情報は、第１のサブフレームと、たとえば、２つ以上の追加のサブフレームとについてのスケジューリングを与え得る。ブロック１５１０において、ＵＥは、第２のサブフレームのための利用可能なリソースブロック（ＲＢ）の数が第１のサブフレームのための利用可能なＲＢの数とは異なると決定する。利用可能なＲＢの数は、たとえば、たとえばＰＳＳまたはＳＳＳなどの第２のサブフレーム中で送信されるべき他の情報の存在により異なり得る。いくつかの例では、ＵＥは、第２のサブフレーム中でＰＳＳまたはＳＳＳが送信されるべきであると決定し得、また、ＰＳＳまたはＳＳＳのために使用されるべき第２のサブフレーム中のＲＢの第１のセットと第２のサブフレーム中のＲＢの第２のセットとを決定し、ＲＢの第２のセットは、第１のセット中に含まれるＲＢ以外のＲＢを含む。ブロック１５１５において、ＵＥは、第２のサブフレームのリソース割振りを調整する。リソース割振りを調整することは、上記の例を続けると、第２のサブフレーム中での送信のためにＲＢの第２のセットをスケジュールすることを含み得る。
【００７２】
[0085]図１６は、様々な例による、ワイヤレス通信システムのｅＮＢによって実行され得る方法１６００を示している。代替的に、方法１６００は、別のタイプの基地局またはワイヤレスノード（たとえば、ＵＥ）によって実行され得る。方法１６００は、たとえば、図１、図８、図１０、または図１２のｅＮＢのうちの１つまたは複数によって、あるいはこれらの図に関して説明されたデバイスの任意の組合せを使用して実行され得る。初めに、ブロック１６０５において、ｅＮＢは、マルチサブフレームスケジューリング割当てに関連するサブフレームのセットのうちの１つまたは複数のサブフレームについての特性の差異を決定する。そのような決定は、たとえば、サブフレームのセットのうちの少なくとも１つのサブフレームが、第１のサブフレームとは異なる利用可能なリソースブロック（ＲＢ）を有すると決定することを含み得る。そのような決定はまた、たとえば、サブフレームのセットのうちの少なくとも１つのサブフレームが、１次同期信号、２次同期信号、１次ブロードキャストチャネル、共通基準信号、測位基準信号、またはチャネル状態情報基準信号のうちの少なくとも１つとの衝突条件を有すると決定することを含み得る。いくつかの例では、この決定は、サブフレームのセットのうちの少なくとも１つのサブフレームが、第１のサブフレームのタイプとは異なるサブフレームタイプを有すると決定することを含み得、サブフレームの上記タイプは、マルチキャストブロードキャスト単一周波数ネットワーク（ＭＢＳＦＮ）ダウンリンクサブフレーム、非ＭＢＳＦＮサブフレーム、特殊サブフレーム、またはオールモストブランクサブフレームのうちの少なくとも１つを備える。さらなる例では、そのような決定は、サブフレームのセットのうちの少なくとも１つのサブフレームが、物理ダウンリンク共有チャネル（ＰＤＳＣＨ）または物理アップリンク共有チャネル（ＰＵＳＣＨ）送信を可能にしないタイプ指示を有すると決定することを含み得る。さらなる例では、この決定は、サブフレームのセットのうちの少なくとも１つのサブフレームが半永続的スケジューリング（ＳＰＳ）割当てを有すると決定することを含み得る。
【００７３】
[0086]特性の差異の決定に続いて、ブロック１６１０において、ｅＮＢは、差異に基づいてサブフレームのセットについてのマルチサブフレームスケジューリング情報を調整する。マルチサブフレームスケジューリング情報を調整することは、たとえば、上記で説明されたのと同様に、第１のサブフレームのトランスポートブロックサイズ（ＴＢＳ）に対して１つまたは複数のサブフレームのトランスポートブロックサイズを調整することを含み得る。調整することはまた、第１のサブフレームの変調およびコーディング方式（ＭＣＳ）に対して１つまたは複数のサブフレームのＭＣＳを調整することを含み得る。さらなる例では、調整することは、第１のサブフレームのランクに対して１つまたは複数のサブフレームのランクを調整することを含み得る。追加または代替として、ｅＮＢは、パンクチャド復調基準信号（ＤＭ−ＲＳ）パターンに基づいて送信リソースを調整し、および／または、１つまたは複数のサブフレームのためのリソースのスケジューリングをスキップするようにリソースのスケジューリングを調整し得る。最後に、ブロック１６１５において、ｅＮＢは、マルチサブフレームスケジューリング情報をＵＥに送信する。
【００７４】
[0087]添付の図面に関して上記に記載された発明を実施するための形態は、例示的な例について説明しており、実装され得るまたは特許請求の範囲内に入る例のみを表すものではない。この説明全体にわたって使用される「例示的」という用語は、「例、事例、または例示の働きをすること」を意味し、「好ましい」または「他の例よりも有利な」を意味しない。発明を実施するための形態は、説明された技法の理解を与えるために、具体的な詳細を含む。ただし、これらの技法は、これらの具体的な詳細なしに実施され得る。いくつかの事例では、説明された例の概念を不明瞭にすることを回避するために、よく知られている構造およびデバイスがブロック図の形式で示されている。
【００７５】
[0088]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００７６】
[0089]本明細書の開示に関して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【００７７】
[0090]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明された機能は、プロセッサ、ハードウェア、ファームウェア、ハードワイヤリング、またはこれらのいずれかの組合せによって実行されるソフトウェアを使用して実装され得る。機能を実装する特徴はまた、機能の一部が異なる物理的な場所に実装されるように分散されることを含む、様々な位置に物理的に配置され得る。また、特許請求の範囲を含めて、本明細書で使用される場合、項目の列挙（たとえば、「のうちの少なくとも１つ」あるいは「のうちの１つまたは複数」で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【００７８】
[0091]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用のコンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは、命令またはデータ構造の形態の所望のプログラムコード手段を搬送または記憶するために使用され得、汎用もしくは専用のコンピュータ、または汎用もしくは専用のプロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−Ｒａｙディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【００７９】
[0092]本開示についての以上の説明は、当業者が本開示を作成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示される原理および新規の特徴に合致する最も広い範囲を与えられるべきである。
以下に、出願当初の特許請求の範囲を付記する。
［Ｃ１］
第１のサブフレーム中で、サブフレームのセットについてのマルチサブフレームスケジューリング情報を受信することと、
前記マルチサブフレームスケジューリング情報に基づいてサブフレームの前記セットのうちの１つまたは複数のサブフレームについての特性の差異を決定することと、
前記決定に応答して、前記１つまたは複数のサブフレーム中の通信についての１つまたは複数の性質を調整することと
を備える、ユーザ機器（ＵＥ）によって実行されるワイヤレス通信の方法。
［Ｃ２］
特性の前記差異を決定することは、サブフレームの前記セットのうちのサブフレームが、
前記第１のサブフレームとは異なる利用可能なリソースブロック（ＲＢ）、
１次同期信号、２次同期信号、１次ブロードキャストチャネル、共通基準信号、測位基準信号、またはチャネル状態情報基準信号のうちの１つとの衝突条件、
前記第１のサブフレームのサブフレームタイプとは異なるサブフレームタイプ、前記サブフレームタイプが、マルチキャストブロードキャスト単一周波数ネットワーク（ＭＢＳＦＮ）ダウンリンクサブフレーム、非ＭＢＳＦＮサブフレーム、特殊サブフレーム、またはオールモストブランクサブフレームのうちの１つを備える、
物理ダウンリンク共有チャネル（ＰＤＳＣＨ）または物理アップリンク共有チャネル（ＰＵＳＣＨ）送信を可能にしないタイプ指示、あるいは
半永続的スケジューリング（ＳＰＳ）割当て
のうちの１つまたは複数を有すると決定することを備える、Ｃ１に記載の方法。
［Ｃ３］
前記１つまたは複数のサブフレーム中の通信についての１つまたは複数の性質を調整することは、
前記第１のサブフレームのトランスポートブロックサイズ（ＴＢＳ）に対する前記１つまたは複数のサブフレームのトランスポートブロックサイズ、
前記第１のサブフレームの変調およびコーディング方式（ＭＣＳ）に対する前記１つまたは複数のサブフレームのＭＣＳ、
前記第１のサブフレームのランクに対する前記１つまたは複数のサブフレームのランク、
パンクチャド復調基準信号（ＤＭ−ＲＳ）パターンに基づく送信リソース、あるいは
前記１つまたは複数のサブフレームのリソースのスケジューリングをスキップするようなリソースのスケジューリング
のうちの１つまたは複数を調整することを備える、Ｃ１に記載の方法。
［Ｃ４］
前記決定することは、第２のサブフレームが、前記第１のサブフレームとは送信のための異なる数の利用可能なリソース要素（ＲＥ）を有すると決定することを備え、
前記調整することは、前記第２のサブフレームの利用可能なＲＥの前記数に少なくとも部分的に基づいて前記第２のサブフレームのトランスポートブロックサイズ（ＴＢＳ）を調整することを備える、Ｃ１に記載の方法。
［Ｃ５］
前記決定することは、第２のサブフレームのための利用可能なリソースブロック（ＲＢ）の数が、前記第１のサブフレームのための利用可能なＲＢの数とは異なると決定することを備え、
前記調整することは、前記第２のサブフレームに関連するリソース割振りを調整することを備える、Ｃ１に記載の方法。
［Ｃ６］
前記決定することは、第２のサブフレームが、半永続的にスケジュールされた送信を有すると決定することを備え、
前記調整することは、前記第２のサブフレームについての前記マルチサブフレームスケジューリング情報に関連するリソースのスケジューリングをスキップすることを備える、Ｃ１に記載の方法。
［Ｃ７］
前記マルチサブフレームスケジューリング情報を受信した後に異なるスケジューリング情報を受信することと、前記異なるスケジューリング情報は、サブフレームの前記セットのうちの１つについてのものである、
前記マルチサブフレームスケジューリング情報を前記異なるスケジューリング情報と交換することと
をさらに備える、Ｃ１に記載の方法。
［Ｃ８］
前記マルチサブフレームスケジューリング情報の前記受信の後に受信されたサブフレームの前記セットについてのスケジューリング情報を無視すること
をさらに備える、Ｃ１に記載の方法。
［Ｃ９］
第１のサブフレーム中で、サブフレームのセットについてのマルチサブフレームスケジューリング情報を受信するための手段と、
前記マルチサブフレームスケジューリング情報に基づいてサブフレームの前記セットのうちの１つまたは複数についての特性の差異を決定するための手段と、
前記決定に応答して、前記１つまたは複数のサブフレーム中の通信についての１つまたは複数の性質を調整するための手段と
を備える、基地局とのワイヤレス通信のためのユーザ機器装置。
［Ｃ１０］
特性の前記差異を決定するための前記手段は、サブフレームの前記セットのうちの少なくとも１つのサブフレームが、
前記第１のサブフレームとは異なる利用可能なリソースブロック（ＲＢ）、
１次同期信号、２次同期信号、１次ブロードキャストチャネル、共通基準信号、測位基準信号、またはチャネル状態情報基準信号のうちの少なくとも１つとの衝突条件、
前記第１のサブフレームのサブフレームタイプとは異なるサブフレームタイプ、サブフレームの前記タイプが、マルチキャストブロードキャスト単一周波数ネットワーク（ＭＢＮＳＦ）ダウンリンクサブフレーム、非ＭＢＳＦＮサブフレーム、特殊サブフレーム、またはオールモストブランクサブフレームのうちの少なくとも１つを備える、
物理ダウンリンク共有チャネル（ＰＤＳＣＨ）または物理アップリンク共有チャネル（ＰＵＳＣＨ）送信を可能にしないタイプ指示、あるいは
半永続的スケジューリング（ＳＰＳ）割当て
のうちの１つまたは複数を有すると決定するための手段を備える、Ｃ９に記載の装置。
［Ｃ１１］
前記１つまたは複数のサブフレーム中の通信についての１つまたは複数の性質を調整するための前記手段は、
前記第１のサブフレームのトランスポートサイズに対する前記１つまたは複数のサブフレームのトランスポートブロックサイズ（ＴＢＳ）、
前記第１のサブフレームの変調およびコーディング方式（ＭＣＳ）に対する前記１つまたは複数のサブフレームのＭＣＳ、
前記第１のサブフレームのランクに対する前記１つまたは複数のサブフレームのランク、
パンクチャド復調基準信号（ＤＭ−ＲＳ）パターンに基づく送信リソース、あるいは
前記１つまたは複数のサブフレームのリソースのスケジューリングをスキップするようなリソースのスケジューリング
のうちの１つまたは複数を調整するための手段を備える、Ｃ９に記載の装置。
［Ｃ１２］
決定するための前記手段は、第２のサブフレームが、前記第１のサブフレームとは送信のための異なる数の利用可能なリソース要素（ＲＥ）を有すると決定するための手段を備え、
調整するための前記手段は、前記第２のサブフレームの利用可能なＲＥの前記数に少なくとも部分的に基づいて前記第２のサブフレームのトランスポートブロックサイズ（ＴＢＳ）を調整するための手段を備える、Ｃ９に記載の装置。
［Ｃ１３］
決定するための前記手段は、第２のサブフレームのための利用可能なリソースブロック（ＲＢ）の数が前記第１のサブフレームのための利用可能なＲＢの前記数とは異なると決定するための手段を備え、
調整するための前記手段は、前記第２のサブフレームに関連するリソース割振りを調整するための手段を備える、Ｃ９に記載の装置。
［Ｃ１４］
決定するための前記手段は、第２のサブフレームが、半永続的にスケジュールされた送信を有すると決定するための手段を備え、
調整するための前記手段は、前記第２のサブフレームについての前記マルチサブフレームスケジューリング情報に関連するリソースのスケジューリングをスキップするための手段を備える、Ｃ９に記載の装置。
［Ｃ１５］
前記マルチサブフレームスケジューリング情報を受信した後に異なるスケジューリング情報を受信するための手段と、前記異なるスケジューリング情報は、サブフレームの前記セットのうちの少なくとも１つについてのものであり、
前記マルチサブフレームスケジューリング情報を前記異なるスケジューリング情報と交換するための手段と
をさらに備える、Ｃ９に記載の装置。
［Ｃ１６］
前記マルチサブフレームスケジューリング情報の前記受信の後に受信されたサブフレームの前記セットについてのスケジューリング情報を無視するための手段
をさらに備える、Ｃ９に記載の装置。
［Ｃ１７］
ユーザ機器によるワイヤレス通信のための非一時的コンピュータ可読媒体であって、前記非一時的コンピュータ可読媒体は、
第１のサブフレーム中で、サブフレームのセットについてのマルチサブフレームスケジューリング情報を受信するためのコードと、
前記マルチサブフレームスケジューリング情報に基づいてサブフレームの前記セットのうちの１つまたは複数のサブフレームについての特性の差異を決定するためのコードと、
前記決定に応答して、前記１つまたは複数のサブフレーム中の通信についての１つまたは複数の性質を調整するためのコードと
を備える、非一時的コンピュータ可読媒体。
［Ｃ１８］
特性の前記差異を決定するための前記コードは、サブフレームの前記セットのうちのサブフレームは、
前記第１のサブフレームとは異なる利用可能なリソースブロック（ＲＢ）、
１次同期信号、２次同期信号、１次ブロードキャストチャネル、共通基準信号、測位基準信号、またはチャネル状態情報基準信号のうちの１つとの衝突条件、
前記第１のサブフレームのサブフレームタイプとは異なるサブフレームタイプ、前記サブフレームタイプが、マルチキャストブロードキャスト単一周波数ネットワーク（ＭＢＳＦＮ）ダウンリンクサブフレーム、非ＭＢＳＦＮサブフレーム、特殊サブフレーム、またはオールモストブランクサブフレームのうちの１つを備える、
物理ダウンリンク共有チャネル（ＰＤＳＣＨ）または物理アップリンク共有チャネル（ＰＵＳＣＨ）送信を可能にしないタイプ指示、あるいは
半永続的スケジューリング（ＳＰＳ）割当て
のうちの１つまたは複数を有すると決定するためのコードを備える、Ｃ１７に記載のコンピュータ可読媒体。
［Ｃ１９］
前記１つまたは複数のサブフレーム中の通信についての１つまたは複数の性質を調整するための前記コードは、
前記第１のサブフレームのトランスポートブロックサイズ（ＴＢＳ）に対する前記１つまたは複数のサブフレームのトランスポートブロックサイズ、
前記第１のサブフレームの変調およびコーディング方式（ＭＣＳ）に対する前記１つまたは複数のサブフレームのＭＣＳ、
前記第１のサブフレームのランクに対する前記１つまたは複数のサブフレームのランク、
パンクチャド復調基準信号（ＤＭ−ＲＳ）パターンに基づく送信リソース、あるいは
前記１つまたは複数のサブフレームのリソースのスケジューリングをスキップするようなリソースのスケジューリング
のうちの１つまたは複数を調整するためのコードを備える、Ｃ１７に記載のコンピュータ可読媒体。
［Ｃ２０］
特性の前記差異を決定するための前記コードは、第２のサブフレームが、前記第１のサブフレームとは送信のための異なる数の利用可能なリソース要素（ＲＥ）を有すると決定するためのコードを備え、
前記調整することは、前記第２のサブフレームの利用可能なＲＥの前記数に少なくとも部分的に基づいて前記第２のサブフレームのトランスポートブロックサイズ（ＴＢＳ）を調整することを備える、Ｃ１７に記載のコンピュータ可読媒体。
［Ｃ２１］
特性の前記差異を決定するための前記コードは、第２のサブフレームのための利用可能なリソースブロック（ＲＢ）の数が前記第１のサブフレームのための利用可能なＲＢの数とは異なると決定するためのコードを備え、
調整するための前記コードは、前記第２のサブフレームに関連するリソース割振りを調整するためのコードを備える、Ｃ１７に記載のコンピュータ可読媒体。
［Ｃ２２］
特性の前記差異を決定するための前記コードは、第２のサブフレームが、半永続的にスケジュールされた送信を有すると決定するためのコードを備え、
調整するための前記コードは、前記第２のサブフレームについての前記マルチサブフレームスケジューリング情報に関連するリソースのスケジューリングをスキップするためのコードを備える、Ｃ１７に記載のコンピュータ可読媒体。
［Ｃ２３］
前記マルチサブフレームスケジューリング情報を受信した後に異なるスケジューリング情報を受信するためのコードと、前記異なるスケジューリング情報は、サブフレームの前記セットのうちの１つについてのものである、
前記マルチサブフレームスケジューリング情報を前記異なるスケジューリング情報と交換するためのコードと、をさらに備える、Ｃ１７に記載のコンピュータ可読媒体。
［Ｃ２４］
マルチサブフレームスケジューリング割当てに関連するサブフレームのセットのうちの１つまたは複数のサブフレームについての特性の差異を決定することと、
前記差異に基づいてサブフレームの前記セットについてのマルチサブフレームスケジューリング情報を調整することと、
前記マルチサブフレームスケジューリング情報をユーザ機器（ＵＥ）に送信することと
を備える、ＵＥと通信しているノードによって実行されるワイヤレス通信の方法。
［Ｃ２５］
特性の前記差異を決定することは、サブフレームの前記セットのうちのサブフレームが、
前記第１のサブフレームとは異なる利用可能なリソースブロック（ＲＢ）、
１次同期信号、２次同期信号、１次ブロードキャストチャネル、共通基準信号、測位基準信号、またはチャネル状態情報基準信号との衝突条件、
前記第１のサブフレームのサブフレームタイプとは異なるサブフレームタイプ、前記サブフレームタイプが、マルチキャストブロードキャスト単一周波数ネットワーク（ＭＢＳＦＮ）ダウンリンクサブフレーム、非ＭＢＳＦＮサブフレーム、特殊サブフレーム、またはオールモストブランクサブフレームのうちの１つを備える、
物理ダウンリンク共有チャネル（ＰＤＳＣＨ）または物理アップリンク共有チャネル（ＰＵＳＣＨ）送信を可能にしないタイプ指示、あるいは
半永続的スケジューリング（ＳＰＳ）割当て
のうちの１つまたは複数を有すると決定することを備える、Ｃ２４に記載の方法。
［Ｃ２６］
サブフレームの前記セットのうちの前記１つまたは複数のサブフレームについてのスケジューリング情報を調整することは、
前記第１のサブフレームのトランスポートブロックサイズ（ＴＢＳ）に対する前記１つまたは複数のサブフレームのトランスポートブロックサイズ、
前記第１のサブフレームの変調およびコーディング方式（ＭＣＳ）に対する前記１つまたは複数のサブフレームのＭＣＳ、
前記第１のサブフレームのランクに対する前記１つまたは複数のサブフレームのランク、
パンクチャド復調基準信号（ＤＭ−ＲＳ）パターンに基づく送信リソース、あるいは
前記１つまたは複数のサブフレームのためのリソースのスケジューリングをスキップするようなリソースのスケジューリング
のうちの１つまたは複数を調整することを備える、Ｃ２４に記載の方法。
［Ｃ２７］
前記決定することは、サブフレームの前記セットのうちの他のサブフレームとは異なる数の利用可能なリソース要素を有するサブフレームの前記セットのうちの１つを識別することを備え、
前記調整することは、前記識別されたサブフレームの利用可能なリソース要素の数に少なくとも部分的に基づいて前記識別されたサブフレームのトランスポートブロックサイズ（ＴＢＳ）を調整することを備える、Ｃ２４に記載の方法。
［Ｃ２８］
前記決定することは、サブフレームの前記セットのうちの１つのための利用可能なリソースブロック（ＲＢ）の数が、サブフレームの前記セットのうちの１つまたは複数の他のサブフレームのための利用可能なＲＢの数とは異なることを識別することを備え、
前記調整することは、前記識別されたサブフレームに関連するリソース割振りを調整することを備える、Ｃ２４に記載の方法。
［Ｃ２９］
前記決定することは、半永続的にスケジュールされた送信を有するサブフレームの前記セットのうちの１つまたは複数のサブフレームを識別することを備え、
前記調整することは、前記１つまたは複数の識別されたサブフレームについての前記マルチサブフレームスケジューリング情報に関連するリソースのスケジューリングをスキップすることを備える、Ｃ２４に記載の方法。
［Ｃ３０］
前記決定することは、半永続的にスケジュールされた送信を有するサブフレームの前記セットのうちの１つまたは複数のサブフレームを識別することを備え、
前記調整することは、前記半永続的にスケジュールされた送信をスキップすることと、前記１つまたは複数の識別されたサブフレームについての前記マルチサブフレームスケジューリング情報に関連するリソースをスケジュールすることとを備える、Ｃ２４に記載の方法。
【図１】
0006426111.tif 000004
【図２】
0006426111.tif 000005
【図３】
0006426111.tif 000006
【図４】
0006426111.tif 000007
【図５】
0006426111.tif 000008
【図６】
0006426111.tif 000009
【図７】
0006426111.tif 000010
【図８】
0006426111.tif 000011
【図９】
0006426111.tif 000012
【図１０】
0006426111.tif 000013
【図１１】
0006426111.tif 000014
【図１２】
0006426111.tif 000015
【図１３】
0006426111.tif 000016
【図１４】
0006426111.tif 000017
【図１５】
0006426111.tif 000018
【図１６】
0006426111.tif 000019